(57)【要約】ビデオカメラと、ビデオカメラの撮影画像を表示するリモコンの消費電力の低減、および操作性の向上を実現する。ビデオカメラと、ビデオカメラ撮影画像を表示するリモコンを有するシステムにおいて、リモコン操作部に対する無操作期間が第１の規定時間に達した場合、ビデオカメラからリモコンに対するワイファイ（Ｗｉ−Ｆｉ）通信を介した撮影画像の送信とリモコン表示部への表示処理を停止し、さらに、リモコン操作部に対する無操作期間が第２の規定時間に達した場合、ワイファイ（Ｗｉ−Ｆｉ）通信を遮断する。リモコン表示部には、各モードにおいて有効な操作部情報を表示する。
2017110263.tif 000002
【特許請求の範囲】
【請求項１】
撮像装置と通信する通信部と、
前記撮像装置に対する操作情報を入力する操作部と、
画像を表示する表示部と、
前記通信部を介して撮像装置からの撮影画像の受信および前記表示部に対する表示処理の制御を実行する制御部を有し、
前記制御部は、
前記撮像装置の撮影中、前記操作部の操作状態に応じて前記撮像装置からの撮影画像を表示部へ表示するか否かを制御する情報処理装置。
【請求項２】
前記制御部は、
前記撮像装置による録画処理実行期間は、撮影画像表示処理の有無に関わらず、録画処理実行中であることを示す表示を行う請求項１に記載の情報処理装置。
【請求項３】
前記制御部は、さらに、
前記操作部に対する無操作期間が第２の規定時間に達した場合、前記撮像装置との複数の通信経路の一部を遮断する請求項１に記載の情報処理装置。
【請求項４】
前記通信部は、第１の通信路を介して前記撮像装置からの撮影画像の受信処理を実行する構成であり、
前記制御部は、
前記操作部に対する無操作期間が前記第１の規定時間に達した場合、前記撮像装置からの第１の通信路を介した撮影画像の受信処理を停止する請求項１に記載の情報処理装置。
【請求項５】
前記通信部は、第１の通信路と、第２の通信路を利用して前記撮像装置との通信を実行する構成であり、
前記制御部は、
前記操作部に対する無操作期間が第２の規定時間に達した場合、前記撮像装置との第１の通信路を遮断する請求項１に記載の情報処理装置。
【請求項６】
前記制御部は、
前記撮像装置からの撮影画像の受信および前記表示部に対する表示処理の停止期間内に、画像表示指示の入力を検出した場合、
前記撮像装置からの撮影画像の受信および前記表示部に対する表示処理を再開する請求項１に記載の情報処理装置。
【請求項７】
前記制御部は、
前記撮像装置との第１の通信路の停止期間内に、画像表示指示の入力を検出した場合、
前記撮像装置との第１の通信路を再開し、前記撮像装置からの第１の通信路を介した画像受信と、前記表示部に対する表示処理を再開する請求項１に記載の情報処理装置。
【請求項８】
前記制御部は、
ユーザ入力が有効である操作部を示す有効操作部識別情報を、前記表示部に表示する請求項１に記載の情報処理装置。
【請求項９】
前記制御部は、
前記表示部に撮影画像を表示しない非表示期間は、撮影画像を表示する表示期間より多くの有効操作部識別情報を表示する請求項８に記載の情報処理装置。
【請求項１０】
前記通信部は、第１の通信路と、第２の通信路を利用して前記撮像装置との通信を実行し、
前記制御部は、
前記操作部に対する無操作期間の継続状況に応じて前記撮像装置との第１の通信路を遮断する構成であり、
前記制御部は、
前記撮像装置との間で利用可能な通信路に応じて変更される有効操作部に対応する有効操作部識別情報を前記表示部に表示する請求項８に記載の情報処理装置。
【請求項１１】
前記制御部は、
前記撮像装置との第１の通信路停止期間は、
前記撮像装置に対する第２の通信路によって操作情報を送信可能な操作部に関する有効操作部識別情報を前記表示部に表示する請求項８に記載の情報処理装置。
【請求項１２】
撮像装置と、
前記撮像装置の制御を実行するリモコンを有する情報処理システムであり、
前記リモコンは、
前記撮像装置の撮影中、リモコン操作部の操作状態に応じて前記撮像装置からの撮影画像を表示部へ表示するか否かを制御する情報処理システム。
【請求項１３】
前記リモコンは、さらに、
前記リモコン操作部に対する無操作期間が第２の規定時間に達した場合、前記撮像装置との複数の通信経路の一部を遮断する請求項１２に記載の情報処理システム。
【請求項１４】
前記リモコンは、第１の通信路を介して前記撮像装置からの撮影画像の受信処理を実行する構成であり、
前記リモコンは、
前記リモコン操作部に対する無操作期間が前記第１の規定時間に達した場合、前記撮像装置からの第１の通信路を介した撮影画像の受信処理を停止する請求項１２に記載の情報処理システム。
【請求項１５】
前記リモコンは、第１の通信路と、第２の通信路を利用して前記撮像装置との通信を実行する構成であり、
前記リモコンは、
前記リモコン操作部に対する無操作期間が第２の規定時間に達した場合、前記撮像装置との第１の通信路を遮断する請求項１２に記載の情報処理システム。
【請求項１６】
前記リモコンは、
ユーザ入力が有効である操作部を示す有効操作部識別情報を、リモコン表示部に表示する請求項１２に記載の情報処理システム。
【請求項１７】
前記撮像装置は、
前記リモコンとの間で、第１の通信路と、第２の通信路の双方の通信路が利用可能な場合、第１の通信路と、第２の通信路の双方の通信路が利用可能であることを示す１つのアイコンを撮像装置表示部に表示する請求項１２に記載の情報処理システム。
【請求項１８】
画像撮影を実行する撮像部と、
複数の異なる通信路を選択適用してリモコンとの通信を実行する通信部と、
前記リモコンに対するユーザ操作が無い無操作期間が規定時間に達した場合、前記リモコンとの複数の通信経路の一部を遮断する制御部を有し、
前記制御部は、
前記リモコンとの間で、第１の通信路と、第２の通信路の双方の通信路が利用可能な場合、第１の通信路と、第２の通信路の双方か利用可能であることを示す１つのアイコンを表示部に表示する撮像装置。
【請求項１９】
情報処理装置において実行する情報処理方法であり、
前記情報処理装置は、
撮像装置と通信する通信部と、
前記撮像装置に対する操作情報を入力する操作部と、
画像を表示する表示部と、
前記通信部を介して撮像装置からの撮影画像の受信および前記表示部に対する表示処理の制御を実行する制御部を有し、
前記制御部が、
前記撮像装置の撮影中、前記操作部の操作状態に応じて前記撮像装置からの撮影画像を表示部へ表示するか否かを制御する情報処理方法。
【請求項２０】
情報処理装置において情報処理を実行させるプログラムであり、
前記情報処理装置は、
撮像装置と通信する通信部と、
前記撮像装置に対する操作情報を入力する操作部と、
画像を表示する表示部と、
前記通信部を介して撮像装置からの撮影画像の受信および前記表示部に対する表示処理の制御を実行する制御部を有し、
前記プログラムは、前記制御部に、
前記撮像装置の撮影中、前記操作部の操作状態に応じて前記撮像装置からの撮影画像を表示部へ表示するか否かを制御させるプログラム。
【発明の詳細な説明】
【技術分野】
【０００１】
本開示は、情報処理装置、撮像装置、情報処理システム、および情報処理方法、並びにプログラムに関する。さらに詳細には、カメラの撮影処理や画像表示処理の制御をリモコン操作によって実行する情報処理装置、撮像装置、情報処理システム、および情報処理方法、並びにプログラムに関する。
【背景技術】
【０００２】
近年、デジタルカメラやデジタルビデオカメラの小型軽量化が進み、また、通信機能を備えたカメラの利用、開発が進んでいる。
例えば、カメラと相互通信可能なリモコンに画像表示用のディスプレイを設け、リモコン操作によって、カメラによる画像撮影の開始や停止等の制御を行い、撮影画像をリモコンのディスプレイに表示可能としたシステムがある。【０００３】
なお、リモコンを利用してカメラ動作を制御可能としたシステムを開示した従来技術して、例えば、特許文献１（特開２０１５−１２７９２０号公報）がある。【０００４】
カメラ制御をリモコンによって行うシステムでは、例えばカメラによる撮影画像をリモコンに転送し、リモコン側の表示部（ディスプレイ）に表示し、リモコン操作者であるユーザが、画像の録画開始や停止処理などの指示を実行することができる。【０００５】
カメラやリモコンは、それぞれバッテリ（電池）を搭載し、バッテリからの電源供給によって、画像撮影処理、画像表示処理、さらに、リモコンとカメラ間の通信処理など、様々なデータ処理を実行する。【０００６】
しかし、画像転送や、画像表示処理、その他のデータ通信処理には、多くの電力が消費される。一方、カメラやリモコンに装着されるバッテリの容量には限りがあり、できるだけ消費電力を低減することが要求される。
【先行技術文献】
【特許文献】
【０００７】
【特許文献１】特開２０１５−１２７９２０号公報
【発明の概要】
【発明が解決しようとする課題】
【０００８】
本開示は、例えば、上述の問題点に鑑みてなされたものであり、例えばリモコンを利用してカメラの動作制御を行うシステムにおいて、消費電力の低減を実現するとともに、分かり易いユーザ操作を実現する情報処理装置、撮像装置、情報処理システム、および情報処理方法、並びにプログラムを提供することを目的とする。
【課題を解決するための手段】
【０００９】
本開示の第１の側面は、
撮像装置と通信する通信部と、
前記撮像装置に対する操作情報を入力する操作部と、
画像を表示する表示部と、
前記通信部を介して撮像装置からの撮影画像の受信および前記表示部に対する表示処理の制御を実行する制御部を有し、
前記制御部は、
前記撮像装置の撮影中、前記操作部の操作状態に応じて前記撮像装置からの撮影画像を表示部へ表示するか否かを制御する情報処理装置にある。【００１０】
さらに、本開示の第２の側面は、
撮像装置と、
前記撮像装置の制御を実行するリモコンを有する情報処理システムであり、
前記リモコンは、
前記撮像装置の撮影中、リモコン操作部の操作状態に応じて前記撮像装置からの撮影画像を表示部へ表示するか否かを制御する情報処理システムにある。【００１１】
さらに、本開示の第３の側面は、
画像撮影を実行する撮像部と、
複数の異なる通信路を選択適用してリモコンとの通信を実行する通信部と、
前記リモコンに対するユーザ操作が無い無操作期間が規定時間に達した場合、前記リモコンとの複数の通信経路の一部を遮断する制御部を有し、
前記制御部は、
前記リモコンとの間で、第１の通信路と、第２の通信路の双方の通信路が利用可能な場合、第１の通信路と、第２の通信路の双方か利用可能であることを示す１つのアイコンを表示部に表示する撮像装置にある。【００１２】
さらに、本開示の第４の側面は、
情報処理装置において実行する情報処理方法であり、
前記情報処理装置は、
撮像装置と通信する通信部と、
前記撮像装置に対する操作情報を入力する操作部と、
画像を表示する表示部と、
前記通信部を介して撮像装置からの撮影画像の受信および前記表示部に対する表示処理の制御を実行する制御部を有し、
前記制御部が、
前記撮像装置の撮影中、前記操作部の操作状態に応じて前記撮像装置からの撮影画像を表示部へ表示するか否かを制御する情報処理方法にある。【００１３】
さらに、本開示の第５の側面は、
情報処理装置において情報処理を実行させるプログラムであり、
前記情報処理装置は、
撮像装置と通信する通信部と、
前記撮像装置に対する操作情報を入力する操作部と、
画像を表示する表示部と、
前記通信部を介して撮像装置からの撮影画像の受信および前記表示部に対する表示処理の制御を実行する制御部を有し、
前記プログラムは、前記制御部に、
前記撮像装置の撮影中、前記操作部の操作状態に応じて前記撮像装置からの撮影画像を表示部へ表示するか否かを制御させるプログラムにある。【００１４】
なお、本開示のプログラムは、例えば、様々なプログラム・コードを実行可能な情報処理装置やコンピュータ・システムに対して、コンピュータ可読な形式で提供する記憶媒体、通信媒体によって提供可能なプログラムである。このようなプログラムをコンピュータ可読な形式で提供することにより、情報処理装置やコンピュータ・システム上でプログラムに応じた処理が実現される。【００１５】
本開示のさらに他の目的、特徴や利点は、後述する本開示の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００１６】
本開示の一実施例の構成によれば、ビデオカメラと、ビデオカメラの撮影画像を表示するリモコンの消費電力の低減、および操作性の向上が実現される。
具体的には、ビデオカメラと、ビデオカメラ撮影画像を表示するリモコンを有するシステムにおいて、リモコン操作部に対する無操作期間が第１の規定時間に達した場合、ビデオカメラからリモコンに対するワイファイ（Ｗｉ−Ｆｉ）通信を介した撮影画像の送信とリモコン表示部への表示処理を停止し、さらに、リモコン操作部に対する無操作期間が第２の規定時間に達した場合、ワイファイ（Ｗｉ−Ｆｉ）通信を遮断する。リモコン表示部には、各モードにおいて有効な操作部情報を表示する。
本構成により、ビデオカメラと、ビデオカメラの撮影画像を表示するリモコンの消費電力の低減、および操作性の向上が実現される。
なお、本明細書に記載された効果はあくまで例示であって限定されるものではなく、また付加的な効果があってもよい。
【図面の簡単な説明】
【００１７】
【図１】ビデオカメラとリモコンの利用例について説明する図である。
【図２】リモコンの表示部の表示データの一例について説明する図である。
【図３】リモコンの表示部の表示データであるアイコンについて説明する図である。
【図４】リモコンの表示部の表示データの例について説明する図である。
【図５】リモコンの表示部の表示データの例について説明する図である。
【図６】ビデオカメラとリモコン間の通信例について説明する図である。
【図７】Ｗｉ−Ｆｉ通信と、ブルートゥース（ＢＴ）通信の特徴について説明する図である。
【図８】モードに応じたビデオカメラとリモコン間の通信態様の設定例について説明する図である。
【図９】リモコンの状態遷移、およびモード遷移について説明する図である。
【図１０】リモコンの表示部の表示データの例について説明する図である。
【図１１】リモコンのモード遷移と表示部の表示データの例について説明する図である。
【図１２】リモコンの表示部の表示データの例について説明する図である。
【図１３】ビデオカメラの表示部の表示データの例について説明する図である。
【図１４】ビデオカメラの表示部の表示データの例について説明する図である。
【図１５】リモコンとビデオカメラのモード遷移とモード遷移に応じた表示部の表示データの遷移について説明する図である。
【図１６】リモコンの表示部の表示データの例について説明する図である。
【図１７】本開示の構成を適用したその他の実施例について説明する図である。
【図１８】本開示の構成を適用したその他の実施例におけるモード対応の通信態様変更例について説明する図である。
【図１９】ビデオカメラとリモコンの構成例について説明する図である。
【図２０】リモコンやＰＣのハードウェアの構成例について説明する図である。
【発明を実施するための形態】
【００１８】
以下、図面を参照しながら本開示の情報処理装置、撮像装置、情報処理システム、および情報処理方法、並びにプログラムの詳細について説明する。なお、説明は以下の項目に従って行なう。
１．リモコン操作を可能としたカメラを有する情報処理システムの構成例について
２．ワイファイ（Ｗｉ−Ｆｉ）通信と、ブルートゥース（ＢＴ）通信について
３．ビデオカメラとリモコン間の通信処理とモード遷移について
４．リモコンにおける状態遷移、およびモード遷移について
５．各モードにおける操作可能情報をリモコンに表示する構成について
６．ビデオカメラの表示部の表示情報について
７．リモコンとビデオカメラのモード遷移とモード対応の表示情報について
７−１．（Ａ）録画準備状態の（ａ１）録画準備画像表示モードにおける通信状態と表示情報とモード遷移について
７−２．（Ｂ）録画実行状態の（ｂ１）録画画像表示ノーマルモードにおける通信状態と表示情報とモード遷移について
７−３．（Ｂ）録画実行状態の（ｂ２）録画画像非表示スタミナモードにおける通信状態と表示情報とモード遷移について
７−４．（Ｂ）録画実行状態の（ｂ３）録画画像非表示ブルートゥース（ＢＴ）単独通信モードにおける通信状態と表示情報とモード遷移について
８．リモコンのキー設定と表示情報の変更例について
９．その他の実施例について
１０．情報処理装置の構成について
１１．本開示の構成のまとめ
【００１９】
［１．リモコン操作を可能としたカメラを有する情報処理システムの構成例について］
まず、リモコン操作を可能としたカメラを有する情報処理システムの構成例について説明する。
図１は、リモコン操作を可能としたカメラの利用例の一例を示す図である。
【００２０】
昨今のカメラやビデオカメラは、小型化軽量化が進み、図１に示すように、例えばユーザ（撮影者）の頭部等、体に固定するように装着しても、さほど、重さを感じることなく撮影することができる。
【００２１】
しかし、図１に示すように、ビデオカメラ１０を、ユーザの頭部に装着すると、ビデオカメラ１０本体の操作部を操作することができず、またビデオカメラ１０本体の表示部の表示画像を見ることができない。
ビデオカメラ１０の撮影開始や停止処理、撮影画像の確認処理は、図１に示すユーザの腕に装着した表示部（モニタ）付きのリモコン２０を利用して実行することができる。
【００２２】
ビデオカメラ１０と、リモコン２０は、例えば、ワイファイ（Ｗｉ−Ｆｉ）通信、あるいはブルートゥース（ＢＴ：Ｂｌｕｅｔｏｏｔｈ（登録商標））通信等を実行する通信部を備え、画像や、操作情報、状態情報（ステータス）等の様々な情報を相互に通信して送受信することが可能な構成を持つ。
【００２３】
図２に、リモコン２０の構成と、リモコン２０の表示部２１の表示例を示す。
図２に示すように、リモコン２０は、表示部２１、操作部２２を有する。なお、表示部２１は、タッチパネル型の操作部として利用可能な構成としてもよい。
なお、ビデオカメラ１０も表示部１１を有し、撮影実行状態や、通信状態等の各種情報の表示が行われる。
ビデオカメラ１０の表示部１１に対する表示情報については、後段で説明する。
【００２４】
まず、図２、図３を参照して、リモコン２０の表示部２１に表示される主な表示情報について説明する。
リモコン２０の表示部２１には、例えば図２（ａ）に示す表示データが表示される。
図２（ａ）に示す表示部２１の表示例は、ビデオカメラ１０による撮影画像を表示した状態である。
表示部の中央領域には、ビデオカメラ１０によって撮影された画像が表示される。なお、表示部２１には、録画処理の実行中、停止中に関わらず、ビデオカメラ１０の撮像部を介して撮影された画像を表示することができる。
【００２５】
ユーザ（撮影者）は、例えば、表示部２１の表示画像を観察しながら、録画処理の開始、停止処理、あるいは静止画の撮影等、ビデオカメラ１０に対する撮影制御を実行することができる。これらの処理は、操作部２２の操作によって、実行可能である。
操作部２２の操作情報が、リモコン２０の通信部からビデオカメラ１０の通信部に送信され、ビデオカメラ１０の制御部が受信した操作情報に応じた処理を実行する。
【００２６】
なお、リモコン２０の表示部２１にこれらの操作用の操作ボタン等からなるＵＩ（ユーザインタフェース）を表示して、これらのＵＩに対する操作（タッチ）等によって、画像の撮影開始、停止等の指示を入力することも可能である。
【００２７】
なお、図２（ａ）に示すように、表示部２１には、撮影画像の他、上部および下部等の表示領域に、様々な情報が表示される。
例えば、表示部２１の上部領域には、ビデオカメラ１０との通信状態情報としてのワイファイ（Ｗｉ−Ｆｉ）通信、ブルートゥース（ＢＴ：Ｂｌｕｅｔｏｏｔｈ（登録商標））通信の各通信状態情報、時間情報、バッテリ状態情報等が表示される。
【００２８】
また、表示部２１の下部領域には、録画処理の実行、停止状態情報、記録時間情報、録画画像の画質情報、その他の録画態様情報等が表示される。
図に示す例では、録画処理の実行、停止状態情報は、録画実行中は点灯（白マル）、録画停止中は消灯（黒マル）する設定の録画実行停止識別ランプを利用した例を示している。
【００２９】
図２（ａ）に示す表示部２１の表示例の上部に表示されるアイコンの一部の表示態様の例について、図３を参照して説明する。
図３には、以下のアイコンに関する説明を示している。
（１）ワイファイ（Ｗｉ−Ｆｉ）接続情報
（２）ブルートゥース（ＢＴ：Ｂｌｕｅｔｏｏｔｈ（登録商標））接続情報
（３）カメラバッテリ残量情報
（４）リモコンバッテリ残量情報
これらは、図２に示すリモコン２０の表示部２１の上部に表示されるアイコンの一部である。
【００３０】
（１）ワイファイ（Ｗｉ−Ｆｉ）接続情報は、図３に示すように、リモコン２０とカメラ１０間においてＷｉ−Ｆｉ通信が可能なＷｉ−Ｆｉ接続状態では、アイコンが表示状態に設定される。
一方、リモコン２０とカメラ１０間においてＷｉ−Ｆｉ通信ができないＷｉ−Ｆｉ非接続状態では、アイコンが非表示状態となる。
【００３１】
（２）ブルートゥース（ＢＴ：Ｂｌｕｅｔｏｏｔｈ（登録商標））接続情報も同様であり、図３に示すように、リモコン２０とカメラ１０間においてブルートゥース（ＢＴ：Ｂｌｕｅｔｏｏｔｈ（登録商標））通信が可能なブルートゥース（ＢＴ）接続状態では、アイコンが表示状態に設定される。
一方、リモコン２０とカメラ１０間においてブルートゥース（ＢＴ）通信ができないブルートゥース（ＢＴ）非接続状態では、アイコンが非表示状態となる。
【００３２】
（３）カメラバッテリ残量情報は、ビデオカメラ１０に装着されたバッテリのバッテリ残量を示す情報であり、図３に示すように、バッテリ残量に応じて、電池型のアイコンの表示態様が変化する設定である。
【００３３】
（４）リモコンバッテリ残量情報は、リモコン２０に装着されたバッテリのバッテリ残量を示す情報であり、図３に示すように、バッテリ残量に応じて、電池型のアイコンの表示態様が変化する設定である。
【００３４】
リモコン２０は、これらの状態表示に必要な情報を、リモコン関連情報については、リモコン２０内部から取得し、ビデオカメラ関連情報については、ビデオカメラ１０からの通信データに基づいて取得する。ビデオカメラ１０の情報については、ワイファイ（Ｗｉ−Ｆｉ）通信、またはブルートゥース（ＢＴ）通信を介して、随時、受信し、受信情報に基づく表示を行う。
【００３５】
リモコン２０の表示部２１の表示例について、図４、図５を参照して説明する。
図４は、ビデオカメラ１０において録画処理が実行されている場合のリモコン２０の表示部２１の複数の表示例を示している。
図４には、以下の４状態の表示例を示している。
（１ａ）撮影画像表示状態（Ｗｉ−Ｆｉ接続状態）
（１ｂ）撮影画像非表示状態（Ｗｉ−Ｆｉ接続状態）
（１ｃ）Ｗｉ−Ｆｉ接続待機状態
（１ｄ）Ｗｉ−Ｆｉ接続停止状態
【００３６】
（１ａ）撮影画像表示状態（Ｗｉ−Ｆｉ接続状態）は、ビデオカメラ１０と、リモコン２０間においてＷｉ−Ｆｉ接続がなされ、Ｗｉ−Ｆｉ通信によって、ビデオカメラ１０の撮影画像（＝録画処理画像）がリモコン２０に送信され、リモコン２０の表示部２１の中央領域に画像が表示された状態である。
さらに、表示部２１の下部には、録画実行ランプが点灯し、録画態様情報が表示される。
表示部の上部には、Ｗｉ−Ｆｉ接続アイコン、ブルートゥース（ＢＴ）接続アイコンが表示され、ビデオカメラ１０とリモコン２０間のＷｉ−Ｆｉ接続、ＢＴ接続、何れも有効であり、Ｗｉ−Ｆｉ通信、ＢＴ通信が実行されていることを示している。
【００３７】
（１ｂ）撮影画像非表示状態（Ｗｉ−Ｆｉ接続状態）は、ビデオカメラ１０と、リモコン２０間においてＷｉ−Ｆｉ接続がなされているが、Ｗｉ−Ｆｉ通信によるビデオカメラ１０の撮影画像（＝録画処理画像）のリモコン２０に対する送信が停止されている状態である。リモコン２０の表示部２１の中央領域に画像は表示されない。
【００３８】
本開示の構成では、電力消費を抑制するため、ビデオカメラ１０による録画処理が実行中でも、予め規定した条件、例えばユーザによるリモコン２０に対する無操作状態が所定期間、継続した場合、ビデオカメラ１０からリモコン２０に対する画像送信を停止し、リモコン２０における画像表示処理を停止する。
【００３９】
このような画像の送信停止処理、表示の停止処理を行なうことにより、ビデオカメラ１０やリモコン２０に搭載したバッテリの消費を抑制し、省電力化を実現している。
画像送信、表示処理の停止条件等については、後段において詳細に説明する。
【００４０】
なお、この撮影画像非表示状態においても、表示部２１の下部には、録画実行ランプが点灯し、録画態様情報が表示される。
表示部の上部には、Ｗｉ−Ｆｉ接続アイコン、ブルートゥース（ＢＴ）接続アイコンが表示され、ビデオカメラ１０とリモコン２０間のＷｉ−Ｆｉ接続、ＢＴ接続、何れも有効であり、Ｗｉ−Ｆｉ通信、ＢＴ通信が実行されていることを示している。
ユーザは、これらの情報に基づいて、録画が実行中であることや、通信が維持されていることなどを確認することができる。
【００４１】
なお、ユーザは、「（１ｂ）撮影画像非表示状態（Ｗｉ−Ｆｉ接続状態）」において、リモコン２０の操作部の操作、あるいは、タッチパネルとして機能する表示部２１をタッチ操作するなど、何らかの操作を行うと、リモコン２０は、この操作情報を画像表示要求として解釈し、リモコン２０からビデオカメラ１０に画像送信要求が出力される。
【００４２】
ビデオカメラ１０は、リモコン２０からの要求を受信すると、画像送信を開始する。
この処理によって、図４に示す「（１ｂ）撮影画像非表示状態（Ｗｉ−Ｆｉ接続状態）」から、図４に示す「（１ａ）撮影画像表示状態（Ｗｉ−Ｆｉ接続状態）」に遷移する処理が行われる。
これらの一連の遷移処理については、後段で詳細に説明する。
【００４３】
（１ｃ）Ｗｉ−Ｆｉ接続待機状態は、ビデオカメラ１０と、リモコン２０間においてＷｉ−Ｆｉ接続が未接続状態であるが、接続状態に移行する段階の表示部２１の表示例である。
Ｗｉ−Ｆｉ接続アイコンは非表示状態となる。
ただし、録画ランプは点灯状態であり、録画処理は継続している。
（１ｃ）の状態で、Ｗｉ−Ｆｉ接続がなされた場合には、図４に示す「（１ａ）撮影画像表示状態（Ｗｉ−Ｆｉ接続状態）」に遷移する。
【００４４】
この（１ｃ）の表示状態は、例えばビデオカメラ１０における録画処理実行中に、Ｗｉ−Ｆｉ接続が一時的に中断した場合等の表示例である。
このような場合、ビデオカメラ１０における録画処理は継続したまま、リモコン−ビデオカメラ間のＷｉ−Ｆｉ接続が試行され、接続が回復すると、図４に示す「（１ａ）撮影画像表示状態（Ｗｉ−Ｆｉ接続状態）」に遷移し、録画処理がそのまま継続する。
【００４５】
（１ｄ）Ｗｉ−Ｆｉ接続停止状態は、ビデオカメラ１０と、リモコン２０間においてＷｉ−Ｆｉ接続が未接続状態であり、接続の試行処理も行われていない状態の表示部２１の表示例である。
Ｗｉ−Ｆｉ接続アイコンは非表示状態となる。
ただし、録画ランプは点灯状態であり、録画処理は継続している。
【００４６】
本開示のシステムでは、省電力モードの１つとして、ビデオカメラ１０と、リモコン２０間においてＷｉ−Ｆｉ通信を意図的に停止し、ブルートゥース（ＢＴ）のみの通信を継続させるモード［ブルートゥース（ＢＴ）単独通信モード］を設定している。
この、ブルートゥース（ＢＴ）単独通信モードでは、ビデオカメラ１０と、リモコン２０間におけるＷｉ−Ｆｉ通信を停止し、Ｗｉ−Ｆｉ通信を介した撮影画像の転送も停止する。
【００４７】
本開示の構成では、電力消費を抑制するため、ビデオカメラ１０による録画処理が実行中でも、予め規定した条件、例えばユーザによるリモコンに対する無操作状態が所定期間、継続した場合、ビデオカメラ１０とリモコン２０間のＷｉ−Ｆｉ通信を停止し、撮影画像の転送も停止し、必要最小限の情報をブルートゥース（ＢＴ）通信を利用して送受信する。このモードをブルートゥース（ＢＴ）単独通信モードと呼ぶ。
【００４８】
このブルートゥース（ＢＴ）単独通信モードを利用することによって、ビデオカメラ１０やリモコン２０に搭載したバッテリの消費をさらに抑制し、さらなる省電力化を実現することが可能となる。
このモード遷移処理等については、後段において詳細に説明する。
【００４９】
なお、図４（１ｄ）に示すＷｉ−Ｆｉ接続停止状態においても、表示部２１の下部には、録画実行ランプが点灯し、録画態様情報が表示され、ユーザは録画処理が継続していることを認識できる。
ただし、表示部の上部のＷｉ−Ｆｉ接続アイコンは消灯し、ブルートゥース（ＢＴ）接続アイコンは表示状態とされる。
ビデオカメラ１０とリモコン２０間では、ブルートゥース（ＢＴ）通信のみ有効であり、Ｗｉ−Ｆｉ通信はできないが、ＢＴ通信が実行されていることを示している。
ユーザは、これらの情報に基づいて、録画が実行中であることや、通信状態を確認することができる。
【００５０】
なお、ユーザは、「（１ｄ）Ｗｉ−Ｆｉ接続停止状態」において、リモコン２０の操作部の操作、あるいは、タッチパネルとして機能する表示部２１をタッチ操作するなど、何らかの操作を行うと、リモコン２０は、この操作情報を画像表示要求として解釈し、リモコン２０とビデオカメラ１０間のＷｉ−Ｆｉ接続の回復処理を実行し、さらに、ビデオカメラ１０に対して、画像送信要求を出力する。
【００５１】
ビデオカメラ１０は、リモコン２０からの要求を受信すると、再接続されたＷｉ−Ｆｉ通信路を介して画像送信を開始する。
この処理によって、図４に示す「（１ｄ）Ｗｉ−Ｆｉ接続停止状態」から、図４に示す「（１ａ）撮影画像表示状態（Ｗｉ−Ｆｉ接続状態）」に遷移する処理が行われる。
これらの一連の処理については、後段で詳細に説明する。
【００５２】
次に、リモコン２０の表示部２１の表示例として、図５を参照して、ビデオカメラ１０における録画処理が実行されていない場合の表示例について説明する。
図５には、ビデオカメラ１０における録画処理が実行されていない場合のリモコン２０の表示部２１の複数の表示例を示している。
【００５３】
図５には、以下の４状態の表示例を示している。
（２ａ）撮影画像表示状態（Ｗｉ−Ｆｉ接続状態）
（２ｂ）Ｗｉ−Ｆｉ接続待機状態
（２ｃ）Ｗｉ−Ｆｉ接続停止状態
【００５４】
なお、ビデオカメラ１０において録画処理が実行されていない場合でも、ビデオカメラ１０の電源がＯＮである限り、ビデオカメラ１０の撮像部を介して画像が撮り込まれており、この撮影画像が、ビデオカメラ１０からリモコン２０に送信される。
【００５５】
（２ａ）撮影画像表示状態（Ｗｉ−Ｆｉ接続状態）は、ビデオカメラ１０と、リモコン２０間においてＷｉ−Ｆｉ接続がなされ、Ｗｉ−Ｆｉ通信によって、ビデオカメラ１０の撮影画像（＝録画処理がなされていない撮影画像）がリモコン２０に送信され、リモコン２０の表示部２１の中央領域に画像が表示される。
【００５６】
しかし、この場合、表示部２１の下部の録画実行ランプは消灯し、録画態様情報も表示されない。
ユーザは、これらの情報から、表示画像が録画されていないことを識別することができる。
【００５７】
表示部の上部には、Ｗｉ−Ｆｉ接続アイコン、ブルートゥース（ＢＴ）接続アイコンが表示され、ビデオカメラ１０とリモコン２０間のＷｉ−Ｆｉ接続、ＢＴ接続、何れも有効であり、Ｗｉ−Ｆｉ通信、ＢＴ通信が実行されていることを示している。
【００５８】
（２ｂ）Ｗｉ−Ｆｉ接続待機状態は、ビデオカメラ１０と、リモコン２０間においてＷｉ−Ｆｉ接続が未接続状態であるが、接続状態に移行する段階の表示部２１の表示例である。
Ｗｉ−Ｆｉ接続アイコンは非表示状態となる。
録画ランプは消灯状態であり、録画処理は行われていない。
（２ｂ）の状態で、Ｗｉ−Ｆｉ接続がなされた場合には、図５に示す「（２ａ）撮影画像表示状態（Ｗｉ−Ｆｉ接続状態）」に遷移する。
【００５９】
この（２ｂ）の表示状態は、例えばビデオカメラ１０において、図５（２ａ）の撮影画像表示中に、Ｗｉ−Ｆｉ接続が一時的に中断した場合等の表示例である。
このような場合、ビデオカメラ１０における録画処理は停止したまま、リモコンビデオ間のＷｉ−Ｆｉ接続が試行され、接続が回復すると、図５に示す「（２ａ）撮影画像表示状態（Ｗｉ−Ｆｉ接続状態）」に遷移し、撮影画像の表示が行われる。
【００６０】
（２ｃ）Ｗｉ−Ｆｉ接続停止状態は、ビデオカメラ１０と、リモコン２０間においてＷｉ−Ｆｉ接続が未接続状態であり、接続の試行処理も行われていない状態の表示部２１の表示例である。
Ｗｉ−Ｆｉ接続アイコンは非表示状態となる。
録画ランプも消灯灯状態であり、録画処理は行われていない。
【００６１】
図４、図５を参照して説明したように、リモコン２０の表示部２１は、状態に応じて様々な異なる表示態様に変更される。
これらの表示遷移処理については、後段で詳細に説明する。
【００６２】
［２．ワイファイ（Ｗｉ−Ｆｉ）通信と、ブルートゥース（ＢＴ）通信について］
次に、ビデオカメラ１０と、リモコン２０との間で実行されるワイファイ（Ｗｉ−Ｆｉ）通信と、ブルートゥース（ＢＴ：Ｂｌｕｅｔｏｏｔｈ（登録商標））通信について説明する。
【００６３】
図６に示すように、ビデオカメラ１０と、リモコン２０は、それぞれ通信部を有し、これら双方の通信部を介して、ワイファイ（Ｗｉ−Ｆｉ）通信と、ブルートゥース（ＢＴ：Ｂｌｕｅｔｏｏｔｈ（登録商標））通信が実行される。
【００６４】
Ｗｉ−Ｆｉの通信規格としては、ＩＥＥＥ８０２．１１ａ／ｂ／ｇ／ｎ等の複数の規格がある。
Ｗｉ−Ｆｉ通信では２．４ＧＨｚ、５ＧＨｚの２種類の帯域のいずれかを選択して通信することが可能であり、利用帯域が広く、また通信速度が比較的早く、通信可能距離も比較的大きい（１００ｍ程度）という特徴があり、大容量のデータを安定して通信できるという特徴がある。
【００６５】
一方、ブルートゥース（ＢＴ：Ｂｌｕｅｔｏｏｔｈ（登録商標））通信は、利用可能な帯域は２．４ＧＨｚの一種類であり、通信速度はＷｉ−Ｆｉより遅く、また通信可能距離もＷｉ−Ｆｉに比較して短い（１０ｍ程度）という特徴がある。
しかし、Ｗｉ−Ｆｉ通信に比較して消費電力が少ないというメリットがある。
【００６６】
なお、ブルートゥース（ＢＴ：Ｂｌｕｅｔｏｏｔｈ（登録商標））通信にも複数の規格があり、従来のブルートゥース（ＢＴ：Ｂｌｕｅｔｏｏｔｈ（登録商標））通信より、消費電力を低減させたＢＴＬＥ（Ｂｌｕｔｏｏｔｈ（登録商標）  Ｌｏｗ  Ｅｎｅｒｇｙ）規格がある。なお、「ＢＴＬＥ」は、「ＢＬＥ」と表記する場合もある。
【００６７】
なお、本明細書において説明する「ブルートゥース（ＢＴ：Ｂｌｕｅｔｏｏｔｈ（登録商標））通信」には、従来型のブルートゥース（ＢＴ：Ｂｌｕｅｔｏｏｔｈ（登録商標））通信のみならず、ＢＴＬＥ（Ｂｌｕｔｏｏｔｈ（登録商標）  Ｌｏｗ  Ｅｎｅｒｇｙ）規格に従ったブルートゥース（ＢＴ：Ｂｌｕｅｔｏｏｔｈ（登録商標））通信も含むものである。
【００６８】
図７は、Ｗｉ−Ｆｉ、ＢＴ（従来型）、ＢＴＬＥの各通信における消費電力と、伝送速度を示した図である。
この図７に示すように、Ｗｉ−Ｆｉ通信は、伝送速度が速いが、消費電力が大きい。
一方、ＢＴ、ＢＴＬＥは、伝送速度が遅いが、消費電力が小さいという特徴がある。
【００６９】
本開示のシステムでは、ビデオカメラ１０と、リモコン２０との間で、ワイファイ（Ｗｉ−Ｆｉ）通信と、ブルートゥース（Ｂｌｕｅｔｏｏｔｈ（登録商標））通信を併用して、かつ、これらの通信を制御することで省電力を実現している。
【００７０】
［３．ビデオカメラとリモコン間の通信処理とモード遷移について］
次に、図８以下を参照して、本開示のビデオカメラ１０とリモコン２０との間で実行される通信処理とモード遷移について説明する。
【００７１】
図８は、リモコン２０において設定される複数の状態、およびモードと、各状態またはモードにおけるビデオカメラ１０との通信態様について説明する図である。
図８に示すように、リモコン２０は、
（Ｘ）電源オフ状態
（Ａ）録画準備状態
（Ｂ）録画実行状態
これらの３状態を遷移する。
【００７２】
さらに、リモコン２０は、
（Ａ）録画準備状態において、
（ａ１）録画準備画像表示モード、
に設定される。
また、（Ｂ）録画実行状態では、
（ｂ１）録画画像表示ノーマルモード、
（ｂ２）録画画像非表示スタミナモード、
（ｂ３）録画画像非表示ブルートゥース（ＢＴ）単独通信モード、
これら３つのモードのいずれかに設定される。
【００７３】
リモコン２０は、ユーザ操作、あるいは、予め設定されたモード遷移条件が発生した場合、異なるモード間の遷移を行う。
【００７４】
図８に示すように、各モードに対応して、リモコン２０と、ビデオカメラ１０との間で実行される通信態様が規定されており、モード遷移の発生に応じて、通信態様が変更される場合がある。
リモコン２０が、以下の２つのモード、すなわち、
（ａ１）録画準備画像表示モード、
（ｂ１）録画画像表示ノーマルモード、
これら２つのモードのいずれかに設定されている場合、
ビデオカメラ１０から画像と、ステータス情報がＷｉ−Ｆｉ通信によって、リモコン２０に送信され、
リモコン２０の操作情報が、Ｗｉ−Ｆｉ通信と、ＢＴ通信を併用してビデオカメラ１０に送信される。
【００７５】
なお、ビデオカメラ１０からＷｉ−Ｆｉ通信によって送信される画像データは、
「（ａ１）録画準備画像表示モード」においては、録画されていない撮影画像である。
「（ｂ１）録画画像表示ノーマルモード」においては、録画されている撮影画像（録画画像）である。
【００７６】
ビデオカメラ１０からＷｉ−Ｆｉ通信によって送信されるステータス情報には、例えば、録画が実行されているか否かの情報、撮影画像の画質（ＨＤ、ＳＤ等）情報、録画時間情報、ビデオカメラ搭載のバッテリ残量情報等が含まれる。
【００７７】
また、リモコン２０の操作情報は、Ｗｉ−Ｆｉ通信と、ＢＴ通信を併用してビデオカメラ１０に送信されるが、各操作情報は、操作種類に応じて、予めＷｉ−Ｆｉ通信、ＢＴ通信、どちらの通信路を利用するかが規定されている。
例えばビデオカメラ１０の電源ＯＮ／ＯＦＦ情報等はＢＴ通信路を利用して送信される。
録画開始、停止処理等の操作情報は、Ｗｉ−Ｆｉ通信路を利用してビデオカメラ１０に送信される。
【００７８】
その他の各操作情報についても、操作種類に応じて規定されたいずれかの通信路を介してビデオカメラ１０に送信される。
なお、Ｗｉ−Ｆｉ通信、ＢＴ通信のいずれか一方のみの通信路が切断された場合には、接続されている他方の通信路を介した操作情報送信が行われる場合もある。
【００７９】
次に、リモコン２０が、図８の中段に示す以下のモードに設定されている場合の通信構成について説明する。
（ｂ２）録画画像非表示スタミナモード、
【００８０】
リモコン２０が、このスタミナモードに設定されている場合、図８に示すように、
ビデオカメラ１０からステータス情報がＷｉ−Ｆｉ通信によって、リモコン２０に送信され、
リモコン２０の操作情報が、Ｗｉ−Ｆｉ通信と、ＢＴ通信を併用してビデオカメラ１０に送信される。
【００８１】
この「（ｂ２）録画画像非表示スタミナモード」においては、ビデオカメラ１０からリモコン２０に対する画像の送信が行われない。
【００８２】
このスタミナモードでは、ビデオカメラ１０からリモコン２０に対する画像の送信を停止し、リモコン２０における画像表示も停止する。
画像の送信、表示処理の停止により、バッテリ消費を低減させて省電力化を図る構成としている。
【００８３】
なお、ビデオカメラ１０からＷｉ−Ｆｉ通信によって送信されるステータス情報には、例えば、録画が実行されているか否かの情報、録画画像の画質（ＨＤ、ＳＤ等）情報、録画時間情報、ビデオカメラ搭載のバッテリ残量情報等が含まれる。
【００８４】
また、リモコン２０の操作情報は、Ｗｉ−Ｆｉ通信と、ＢＴ通信を併用してビデオカメラ１０に送信されるが、各操作情報は、操作種類に応じて、予めＷｉ−Ｆｉ通信、ＢＴ通信、どちらの通信路を利用するかが規定されている。
例えばビデオカメラ１０の電源ＯＮ／ＯＦＦ情報等はＢＴ通信路を利用して送信される。
録画開始、停止処理等の操作情報は、Ｗｉ−Ｆｉ通信路を利用してビデオカメラ１０に送信される。
【００８５】
その他の各操作情報についても、操作種類に応じて規定されたいずれかの通信路を介してビデオカメラ１０に送信される。
なお、Ｗｉ−Ｆｉ通信、ＢＴ通信のいずれか一方のみの通信路が切断された場合には、接続されている他方の通信路を介した操作情報送信が行われる。
【００８６】
次に、リモコン２０が、図８の最下段に示す以下のモードに設定されている場合の通信構成について説明する。
（ｂ３）録画画像非表示ブルートゥース（ＢＴ）単独通信モード、
【００８７】
リモコン２０が、このモードに設定されている場合、図８に示すように、
ビデオカメラ１０からステータス情報がＷｉ−Ｆｉ通信ではなく、ＢＴ通信によって、リモコン２０に送信され、
リモコン２０の操作情報も、ＢＴ通信のみを併用してビデオカメラ１０に送信される。
【００８８】
すなわち、この「（ｂ３）録画画像非表示ブルートゥース（ＢＴ）単独通信モード」においては、
ビデオカメラ１０からリモコン２０に対する画像の送信が行われないのみならず、
ビデオカメラ１０とリモコン２０間のＷｉ−Ｆｉ接続が切断され、Ｗｉ−Ｆｉ通信路を介したデータ転送は全て停止される。
【００８９】
ビデオカメラ１０からリモコン２０に対するステータス情報の送信、および、リモコン２０からビデオカメラ１０に対する操作情報の送信等、ビデオカメラ１０とリモコン２０間の全ての通信がＢＴ通信路のみを利用して実行される。
【００９０】
先に、図７を参照して説明したように、Ｗｉ−Ｆｉ通信に比較してＢＴ通信は電力消費が少ない。
従って、この「（ｂ３）録画画像非表示ブルートゥース（ＢＴ）単独通信モード」において、ＢＴ通信のみを利用することで、さらなる省電力が実現される。
なお、本実施例において、ＢＴ通信は、図７を参照して説明した従来型のＢＴ通信、または、ＢＴＬＥ（またはＢＬＥ）通信のいずれかの通信である。
【００９１】
なお、ビデオカメラ１０からＢＴ通信によって送信されるステータス情報には、例えば、録画が実行されているか否かの情報、録画画像の画質（ＨＤ、ＳＤ等）情報、録画時間情報、ビデオカメラ搭載のバッテリ残量情報等が含まれる。
また、リモコン２０の操作情報は、すべてＢＴ通信路を利用して送信される。
例えばビデオカメラ１０の電源ＯＮ／ＯＦＦ情報、録画開始、停止処理等の操作情報、その他の操作情報のすべてが、ＢＴ通信路を利用してビデオカメラ１０に送信される。
【００９２】
［４．リモコンにおける状態遷移、およびモード遷移について］
次に、図９を参照して、リモコン２０における状態遷移、およびモード遷移について説明する。
先に図８を参照して説明したように、リモコン２０において設定される状態には以下の状態がある。
（Ｘ）電源オフ状態
（Ａ）録画準備状態
（Ｂ）録画実行状態
これらの３状態がある。
【００９３】
さらに、リモコン２０は、
（Ａ）録画準備状態において、
（ａ１）録画準備画像表示モード、
に設定される。
また、（Ｂ）録画実行状態では、
（ｂ１）録画画像表示ノーマルモード、
（ｂ２）録画画像非表示スタミナモード、
（ｂ３）録画画像非表示ブルートゥース（ＢＴ）単独通信モード、
これら３つのモードのいずれかに設定される。
【００９４】
リモコン２０は、これらの複数の状態、またはモード間を、ユーザ操作、あるいは所定の遷移条件の発生に応じて遷移する。
これらの遷移処理は、リモコン２０の制御部の制御に基づいて行われる。
リモコン２０の制御部は、例えばリモコン２０の操作部に対する操作情報の入力、または操作情報入力が無い無操作状態の継続期間に応じて装置モードを変更する制御を行う。さらに、制御部は、記装置モードの変更に応じて、通信部を介した通信形態を変更する処理を実行する。
【００９５】
図９は、リモコン２０における状態遷移、モード遷移を説明する図である。
図９には、状態遷移、モード遷移の発生ステップをステップＳ１１〜Ｓ１６として示している。
以下、各ステップの処理について、順次、説明する。
【００９６】
（ステップＳ１１）
ステップＳ１１は、
（Ａ）録画準備状態の（ａ１）録画準備画像表示モードから、
（Ｂ）録画実行状態の（ｂ１）録画画像表示ノーマルモードへの、
モード遷移ステップである。
このモード遷移は、ユーザによるリモコン２０に対する録画開始停止キー（ＲＥＣキー、またはスタートストップ（ＳＳ）キーとも呼ばれる）に対するキー操作によって実行される。
【００９７】
なお、（Ａ）録画準備状態の（ａ１）録画準備画像表示モードにおいては、ビデオカメラ１０の撮影画像がＷｉ−Ｆｉを介してリモコン２０に送信されており、リモコン２０の表示部２１に対する撮影画像（≠録画画像）の表示処理が実行されている。
なお、この表示画像は、録画処理が行われていない画像である。
【００９８】
（Ａ）録画準備状態の（ａ１）録画準備画像表示モードにおいて、ユーザがリモコン２０に対する録画開始操作、すなわち録画開始停止キー（ＲＥＣキー）に対するキー操作を行うと、
（Ｂ）録画実行状態の（ｂ１）録画画像表示ノーマルモード、
に移行する。
【００９９】
この状態遷移処理に際して、以下の処理が行われる。
（１）リモコン２０から、ビデオカメラ１０に対する録画開始要求の送信、
（２）ビデオカメラ１０による録画処理の開始、
（３）ビデオカメラ１０による撮影画像（＝録画画像）のリモコン２０に対する送信処理、
（４）リモコン２０の表示部２１に対する撮影画像（＝録画画像）の表示処理、
なお、この時点の送信表示画像は、録画処理が行われている画像である。
【０１００】
（ステップＳ１２）
ステップＳ１２は、
（Ｂ）録画実行状態の（ｂ１）録画画像表示ノーマルモードから、
（Ｂ）録画実行状態の（ｂ２）録画画像非表示スタミナモードへの、
モード遷移ステップである。
【０１０１】
このモード遷移は、（ｂ１）録画画像表示ノーマルモードにおいて、リモコン２０に対するユーザ操作が規定時間（例えば１０秒間）実行されなかった場合に発生する。
【０１０２】
この状態遷移処理に際して、以下の処理が行われる。
（１）リモコン２０から、ビデオカメラ１０に対する録画画像送信停止要求の送信、
（２）ビデオカメラ１０による撮影画像（＝録画画像）のリモコン２０に対する送信処理の停止、
（３）リモコン２０の表示部２１に対する撮影画像（＝録画画像）の表示処理の停止、
なお、このモード遷移が発生しても、ビデオカメラ１０は、録画処理を継続する。
【０１０３】
この処理により、ビデオカメラ１０からリモコン２０に対する撮影画像の送信が停止され、リモコン２０の表示部２１に対する撮影画像の表示も停止される。
この処理により、ビデオカメラ１０、リモコン２０のバッテリ消費は低減し、省電力化が実現される。
【０１０４】
（ステップＳ１３）
ステップＳ１３は、
（Ｂ）録画実行状態の（ｂ２）録画画像非表示スタミナモードから、
（Ｂ）録画実行状態の（ｂ１）録画画像表示ノーマルモードへの、
モード遷移ステップである。
【０１０５】
このモード遷移は、上記の（ｂ２）録画画像非表示スタミナモードにおいて、ユーザがリモコン２０に対して、画像表示指示を入力した場合に発生する。
なお、この（ｂ２）録画画像非表示スタミナモードにおいて、ユーザによるリモコン２０に対して行われる入力操作中、録画開始停止キー（ＲＥＣキー（＝ＳＳキー））等の特定キー以外のキー操作、あるいはタッチパネルとして機能する表示部に対するタッチ操作のほとんどは、画像表示指示入力として解釈され、このステップＳ１３のモード遷移が発生する。
【０１０６】
このモード遷移により、以下の処理が実行される。
（１）リモコン２０から、ビデオカメラ１０に対する撮影画像（＝録画画像）の送信要求、
（２）ビデオカメラ１０による撮影画像（＝録画画像）のリモコン２０に対する送信処理、
（３）リモコン２０の表示部２１に対する撮影画像（＝録画画像）の表示処理、
なお、この時点の送信表示画像は、録画処理が行われている画像である。
【０１０７】
（ステップＳ１４）
ステップＳ１４は、
（Ｂ）録画実行状態の（ｂ２）録画画像非表示スタミナモードから、
（Ｂ）録画実行状態の（ｂ３）録画画像非表示ブルートゥース（ＢＴ）単独通信モードへの、
モード遷移ステップである。
【０１０８】
このモード遷移は、（ｂ２）録画画像非表示スタミナモードにおいて、リモコン２０に対するユーザ操作が規定時間（例えば６０秒間）実行されなかった場合に発生する。
【０１０９】
この状態遷移処理に際して、以下の処理が行われる。
（１）リモコン２０とビデオカメラ１０とのＷｉ−Ｆｉ接続の停止、
（２）ビデオカメラ１０からのステータス情報の送信経路をＷｉ−ＦｉからＢＴに切り替える処理、
（３）リモコン２０からビデオカメラ１０に対する操作情報をＷｉ−Ｆｉを使用せず、全てＢＴ通信に切り替える処理、
なお、このモード遷移が発生しても、ビデオカメラ１０は、録画処理を継続する。
【０１１０】
この処理により、ビデオカメラ１０とリモコン２０との間のＷｉ−Ｆｉ接続は停止される。
この処理により、ビデオカメラ１０、リモコン２０のバッテリ消費は、さらに低減し、さらなる省電力化が実現される。
【０１１１】
（ステップＳ１５）
ステップＳ１５は、
（Ｂ）録画実行状態の（ｂ３）録画画像非表示ブルートゥース（ＢＴ）単独通信モード、
（Ｂ）録画実行状態の（ｂ１）録画画像表示ノーマルモードへの、
モード遷移ステップである。
【０１１２】
このモード遷移は、上記の（ｂ３）録画画像非表示ブルートゥース（ＢＴ）単独通信モードにおいて、ユーザがリモコン２０に対して、画像表示指示を入力した場合に発生する。
なお、この（ｂ３）録画画像非表示ブルートゥース（ＢＴ）単独通信モードにおいて、ユーザによるリモコン２０に対して行われる入力操作中、録画開始停止キー（ＲＥＣキー（＝ＳＳキー））等の特定キー以外のキー操作、あるいはタッチパネルとして機能する表示部に対するタッチ操作のほとんどは、画像表示指示入力として解釈され、このステップＳ１５のモード遷移が発生する。
【０１１３】
このモード遷移により、以下の処理が実行される。
（１）リモコン２０から、ビデオカメラ１０に対する撮影画像（＝録画画像）の送信要求、
（２）ビデオカメラ１０による撮影画像（＝録画画像）のリモコン２０に対する送信処理、
（３）リモコン２０の表示部２１に対する撮影画像（＝録画画像）の表示処理、
なお、この時点の送信表示画像は、録画処理が行われている画像である。
【０１１４】
（ステップＳ１６）
ステップＳ１６は、
（Ｂ）録画実行状態の（ｂ１）録画画像表示ノーマルモード、または、
（Ｂ）録画実行状態の（ｂ２）録画画像非表示スタミナモード、または、
（Ｂ）録画実行状態の（ｂ３）録画画像非表示ブルートゥース（ＢＴ）単独通信モード、
これら、いずれかのモードから、
（Ａ）録画準備状態の（ａ１）録画準備画像表示モードへの、
モード遷移ステップである。
【０１１５】
このモード遷移は、上記の（ｂ１）〜（ｂ３）のいずれかのモードにおいて、ユーザがリモコン２０に対して、記録停止の入力操作、すなわち、録画開始停止キー（ＲＥＣキー（＝ＳＳキー））のキー操作を実行した場合に発生する。
例えば録画停止ボタンの操作である。
【０１１６】
このモード遷移により、以下の処理が実行される。
（１）リモコン２０から、ビデオカメラ１０に対する録画処理の停止要求送信、
（２）ビデオカメラ１０による録画処理の停止処理、
（３）ビデオカメラ１０による撮影画像（≠録画画像）のリモコン２０に対する送信処理、
（４）リモコン２０の表示部２１に対する撮影画像（≠録画画像）の表示処理、
なお、このモード遷移後の送信表示画像は、録画処理が行われていない画像である。
【０１１７】
［５．各モードにおける操作可能情報をリモコンに表示する構成について］
図８、図９を参照して説明したように、リモコンは、ユーザ操作等に応じて、複数の状態やモードを遷移する。リモコンの設定モードに応じて、ユーザがリモコンに対して操作可能な処理の種類は異なる。
【０１１８】
先に図８、図９を参照して説明したように、リモコンの設定モードには、以下の各モードがある。
（Ａ）録画準備状態の（ａ１）録画準備画像表示モード、
（Ｂ）録画実行状態の（ｂ１）録画画像表示ノーマルモード、
（Ｂ）録画実行状態の（ｂ２）録画画像非表示スタミナモード、
（Ｂ）録画実行状態の（ｂ３）録画画像非表示ブルートゥース（ＢＴ）単独通信モード、
【０１１９】
例えば、録画開始停止キー（ＲＥＣキー（＝ＳＳキー））は、上記のいずれのモードでも有効である。すなわち、ユーザ操作に応じた処理が実行される。
しかし、例えば、（Ｂ）録画実行状態の（ｂ３）録画画像非表示ブルートゥース（ＢＴ）単独通信モードにおいては、ビデオカメラ１０とのＷｉ−Ｆｉ通信が遮断されている。このモードでは、Ｗｉ−Ｆｉ通信を介してビデオカメラ１０に操作情報を送る設定となっているキー操作は、ユーザがキー操作を行っても、ビデオカメラ１０に対して、操作情報が送信されず、ユーザがキー操作を繰り返してもユーザの希望する処理が実行されない場合がある。
【０１２０】
なお、先に図８、図９を参照して説明したように、例えば、リモコンの設定モードが以下のいずれかのモードである場合、
（Ｂ）録画実行状態の（ｂ２）録画画像非表示スタミナモード、
（Ｂ）録画実行状態の（ｂ３）録画画像非表示ブルートゥース（ＢＴ）単独通信モード、
これらのモードにある場合は、
録画開始停止キー（ＲＥＣキー（＝ＳＳキー））に対する操作を行うとキーに応じた処理、すなわち、録画停止処理が実行される。
しかし、この録画開始停止キー（ＲＥＣキー（＝ＳＳキー））等の特定キー以外のキー操作のほとんどは、画像表示開始要求として解釈され、この結果、
（Ｂ）録画実行状態の（ｂ１）録画画像表示ノーマルモード、
上記モードへのモード移行処理がなされる。
ユーザは、リモコンの各キーに割り当てられた本来の処理を実行しようとしても、その処理は実行されず、上記のモード移行処理がなされることになる。
【０１２１】
このような処理が行われると、ユーザに、故障が発生したのではないかといった疑念を抱かせてしまう可能性がある。
以下では、このような問題を解決する構成について説明する。
具体的には、リモコンの表示部に、各モードにおける操作可能情報を表示し、ユーザにどのキーが有効に利用可能であるかを知らせることを可能とした構成である。
【０１２２】
具体例について、図１０を参照して説明する。
図１０には、以下の２つのモードにおけるリモコン２０の表示部２１の表示例を示している。
（Ａ）録画準備状態の（ａ１）録画準備画像表示モード、
（Ｂ）録画実行状態の（ｂ２）録画画像非表示スタミナモード、
【０１２３】
図１０に示すように、（ａ１）録画準備画像表示モードのリモコン表示部２１には、
「モード設定キー操作可能状態識別情報３１」が表示される。
図１０に示すように、モード設定キー３２ａ，３２ｂは、表示部２１のサイドに設けられたユーザ操作可能なキーである。
例えば、モード設定キー３２ａ，３２ｂの操作により、動画撮影モード、静止画撮影モード等の撮影モードの切り換えを行うことができる。
【０１２４】
表示部２１に表示されたモード設定キー操作可能状態識別情報３１は、モード設定キー３２ａ，３２ｂの操作が有効であることをユーザに通知するための表示情報である。すなわち、この表示情報は有効操作部識別情報として機能する。
ユーザは、表示部２１に表示された「モード設定キー操作可能状態識別情報３１」を見て、モード設定キー３２ａ，３２ｂが有効であり、これらのキー操作によって動画撮影モード、静止画撮影モード等の撮影モードの切り換えを行うことができることを知ることができる。
【０１２５】
また、図１０の右側には、（ｂ２）録画画像非表示スタミナモードのリモコン表示部２１の表示例を示している。表示部２１には、
「モード設定キー操作可能状態識別情報３１」の他、
「録画開始停止キー操作可能状態識別情報３５」
が表示される。
【０１２６】
「モード設定キー操作可能状態識別情報３１」は、上述したとおり、モード設定キー３２ａ，３２ｂが有効であることを示す情報である。
「録画開始停止キー操作可能状態識別情報３５」は、やはり、表示部２１のサイドに設けられた録画開始停止キー（ＲＥＣキー（ＳＳキー））３３が有効であることをユーザに通知するために表示される。
【０１２７】
録画開始停止キー（ＲＥＣキー（ＳＳキー））３３は、録画処理の開始、および録画処理の停止を実行するためのキーである。
ユーザは、表示部２１に表示された「録画開始停止キー操作可能状態識別情報３５」を見て、録画開始停止キー（ＲＥＣキー（ＳＳキー））３３が有効であり、これらのキー操作によって録画処理の開始や停止を行うことができることを知ることができる。
【０１２８】
このように、リモコン２０の表示部２１には、各モードにおいて有効に利用可能なキーに関する識別情報が表示される。
ユーザは、これらの識別情報を見て、リモコン２０のどのキーが利用可能であるかを確認し、この確認の下でキー操作を行うことができる。
【０１２９】
なお、図１０に示すように、リモコン２０には、録画開始停止キー（ＲＥＣキー（ＳＳキー））３３に隣接して、録画／通信状態表示ランプ３４が設けられている。
録画／通信状態表示ランプ３４は、ビデオカメラ１０による録画処理の実行状態や、リモコン２０とビデオカメラとのＷｉ−Ｆｉ通信可能状態を示すランプであり。以下のように表示が切り換わる。
（ａ）青点灯：録画停止状態、かつＷｉ−Ｆｉ通信有効状態を示す。
（ｂ）赤点灯：録画実行状態を示す。
（ｃ）消灯：録画停止状態、かつＷｉ−Ｆｉ通信無効状態を示す。
【０１３０】
図１１に、リモコン２０の以下の４つのモード各々において、表示部２１に表示される有効利用可能キーに関する識別情報の表示例を示す。
（Ａ）録画準備状態の（ａ１）録画準備画像表示モード、
（Ｂ）録画実行状態の（ｂ１）録画画像表示ノーマルモード、
（Ｂ）録画実行状態の（ｂ２）録画画像非表示スタミナモード、
（Ｂ）録画実行状態の（ｂ３）録画画像非表示ブルートゥース（ＢＴ）単独通信モード、
【０１３１】
（Ａ）録画準備状態の（ａ１）録画準備画像表示モードにおいては、以下の識別情報が表示される。
「モード設定キー操作可能状態識別情報」
ユーザは、リモコン２０の表示部２１に表示された「モード設定キー操作可能状態識別情報」を見て、リモコン２０のモード設定キーの操作により、モードを変更することができることを知ることができる。
録画／通信状態表示ランプ３４は、録画停止状態、かつＷｉ−Ｆｉ通信有効状態を示す青点灯に設定される。
【０１３２】
（Ｂ）録画実行状態の（ｂ１）録画画像表示ノーマルモードにおいても、以下の識別情報が表示される。
「モード設定キー操作可能状態識別情報」
ユーザは、リモコン２０の表示部２１に表示された「モード設定キー操作可能状態識別情報」を見て、リモコン２０のモード設定キーの操作により、モードを変更することができることを知ることができる。
録画／通信状態表示ランプ３４は、録画実行状態を示す赤点灯に設定される。
【０１３３】
（Ｂ）録画実行状態の（ｂ２）録画画像非表示スタミナモードにおいては、以下の識別情報が表示される。
「モード設定キー操作可能状態識別情報」
「録画開始停止キー操作可能状態識別情報」
ユーザは、リモコン２０の表示部２１に表示された「モード設定キー操作可能状態識別情報」を見て、リモコン２０のモード設定キーの操作により、モードを変更することができることを知ることができる。
また、リモコン２０の表示部２１に表示された「録画開始停止キー操作可能状態識別情報」を見て、リモコン２０の録画開始停止キーの操作により、録画処理の開始や停止を行うことができることを知ることができる。
録画／通信状態表示ランプ３４は、録画実行状態を示す赤点灯に設定される。
【０１３４】
（Ｂ）録画実行状態の（ｂ３）録画画像非表示ブルートゥース（ＢＴ）単独通信モードにおいては、以下の識別情報が表示される。
「録画開始停止キー操作可能状態識別情報」
ユーザは、リモコン２０の表示部２１に表示された「録画開始停止キー操作可能状態識別情報」を見て、リモコン２０の録画開始停止キーの操作により、録画処理の開始や停止を行うことができることを知ることができる。
【０１３５】
なお、リモコン２０の録画開始停止キーの操作情報は、ブルートゥース（ＢＴ）通信によってビデオカメラ１０に送信される。
リモコン２０の制御部は、ビデオカメラ１０との間で利用可能な通信路に応じて変更される有効操作部に対応する有効操作部識別情報を表示部２１に表示する
録画／通信状態表示ランプ３４は、録画実行状態を示す赤点灯に設定される。
リモコン２０の制御部は、ビデオカメラ１０による録画処理実行期間は、撮影画像表示処理の有無に関わらず、録画処理実行中であることを示す表示、すなわち、録画／通信状態表示ランプ３４を、録画実行状態を示す赤点灯に設定する制御を行う。
ユーザは、このランプ表示により、画像の表示有無に関わらず録画処理が行われていることを確認できる。
【０１３６】
前述したように、リモコン２０は、ワイファイ（Ｗｉ−Ｆｉ）通信と、ブルートゥース（ＢＴ：Ｂｌｕｅｔｏｏｔｈ（登録商標））通信を利用してビデオカメラ１０との通信を実行する。また、リモコン２０は、リモコン２０の操作部に対する無操作期間の継続状況に応じてビデオカメラ１０とのワイファイ（Ｗｉ−Ｆｉ）通信を遮断する。
リモコン２０の制御部は、ビデオカメラ１０との間で利用可能な通信路に応じて変更される有効操作部に対応する有効操作部識別情報を表示部２１に表示する。
例えば、ビデオカメラ１０とのワイファイ（Ｗｉ−Ｆｉ）通信停止期間は、ビデオカメラ１０に対して、ブルートゥース（ＢＴ：Ｂｌｕｅｔｏｏｔｈ（登録商標））を介して操作情報を送信できる操作部に対応する有効操作部識別情報を表示部２１に表示する。
【０１３７】
なお、リモコン２０の録画開始停止キーは、リモコン２０が、以下のどのモードであっても利用可能である。
（Ａ）録画準備状態の（ａ１）録画準備画像表示モード、
（Ｂ）録画実行状態の（ｂ１）録画画像表示ノーマルモード、
（Ｂ）録画実行状態の（ｂ２）録画画像非表示スタミナモード、
（Ｂ）録画実行状態の（ｂ３）録画画像非表示ブルートゥース（ＢＴ）単独通信モード、
リモコン２０の録画開始停止キーは、リモコン２０が、上記のどのモードであっても利用できる。
【０１３８】
しかし、図１１に示す例では、
（Ａ）録画準備状態の（ａ１）録画準備画像表示モード、
（Ｂ）録画実行状態の（ｂ１）録画画像表示ノーマルモード、
これらの各モードでは、
「録画開始停止キー操作可能状態識別情報」
の表示処理は実行していない。
この理由は、リモコン２０の表示部２１に撮影画像が表示されている場合、その画像に重畳して表示する情報を少なくし、画像を見やすくするためである。
すなわち、リモコン２０の制御部は、表示部２１に撮影画像を表示しない非表示期間は、撮影画像を表示する表示期間より多くの有効操作部識別情報を表示する等の処理を行なう。
【０１３９】
なお、撮影画像が表示されるモードにおいても、
「録画開始停止キー操作可能状態識別情報」の表示処理を実行する構成としてもよい。
あるいは、画像表示がなされている場合は、「録画開始停止キー操作可能状態識別情報」の表示面積を小さくした小型のアイコンを利用する等の処理を行なう構成としてもよい。
【０１４０】
なお、図１１に示す以下のモード、すなわち、
（Ｂ）録画実行状態の（ｂ３）録画画像非表示ブルートゥース（ＢＴ）単独通信モード、
このモードでは、リモコン２０と、ビデオカメラ１０間のＷｉ−Ｆｉ通信が遮断されている。
【０１４１】
このモードにおいて、図１１に示すステップＳ１５の処理、すなわち、画像表示指示処理、あるいは、ステップＳ１６の処理、すなわち、録画停止キーのキー操作等を行うと、
（Ｂ）録画実行状態の（ｂ１）録画画像表示ノーマルモード、
（Ａ）録画準備状態の（ａ１）録画準備画像表示モード、
これらのモードへのモード移行処理が発生する。
【０１４２】
上記のモード移行処理においては、
リモコン２０と、ビデオカメラ１０との間で、Ｗｉ−Ｆｉ接続処理を行なうことになる。
このＷｉ−Ｆｉ接続処理には、約５〜６秒程度の時間を要する。
【０１４３】
この約５〜６秒程度の時間は、ユーザは待機する必要があるが、リモコン２０の表示部２１に何も表示されないと、ユーザは故障、あるいは操作ミスを行ったのではないかといった疑問を持つ場合がある。
このような事態の発生を防止するため、Ｗｉ−Ｆｉ接続処理を伴うモード変更時には、リモコン２０の表示部２１にＷｉ−Ｆｉ接続処理を実行中であることを示す情報を表示する。
具体例を図１２に示す。
【０１４４】
例えば図１２に示すようなＷｉ−Ｆｉ接続中であることを示す情報表示を実行し、Ｗｉ−Ｆｉ接続に成功した後、ビデオカメラ１０から送信される画像表示に切り換える処理を行う。
このような処理を行なうことで、Ｗｉ−Ｆｉ接続処理を伴うモード変更時に、ユーザにＷｉ−Ｆｉ接続処理を実行中であることを知らせる構成としている。
【０１４５】
［６．ビデオカメラの表示部の表示情報について］
次に、ビデオカメラ１０の表示部１１に表示される情報について説明する。
ビデオカメラ１０も、リモコン２０において設定される各状態、各モードに対応して、複数の状態、モードに設定される。
これらの状態、モードの設定および遷移処理は、ビデオカメラ１０の制御部の制御に基づいて行われる。
【０１４６】
ビデオカメラ１０の制御部は、例えばリモコン２０の操作部に対する操作情報の入力、または操作情報入力が無い無操作状態の継続期間等に応じてモードを変更する制御を行う。さらに、制御部は、モード変更に応じて、通信部を介した通信形態を変更する処理、さらに、ビデオカメラ１０の表示部１１に対する表示情報の変更処理等を行う。
【０１４７】
図１３を参照して、ビデオカメラ１０の表示部１１に表示される表示情報の例について説明する。
図１３には、以下の２つの表示情報例を示している。
（Ａ）Ｗｉ−Ｆｉ，ブルートゥース（ＢＴ）両通信路が利用可能な設定における表示情報例
（Ｂ）ブルートゥース（ＢＴ）通信路のみ利用可能な設定における表示情報例
【０１４８】
「（Ａ）Ｗｉ−Ｆｉ，ブルートゥース（ＢＴ）両通信路が利用可能な設定における表示情報例」では、ビデオカメラ１０とリモコン２０間の有効な通信路を示す通信状態識別アイコン５１が、Ｗｉ−Ｆｉ，ブルートゥース（ＢＴ）両通信路が利用可能であることを示すアイコンとなっている。
【０１４９】
一方、「（Ｂ）ブルートゥース（ＢＴ）通信路のみ利用可能な設定における表示情報例」では、ビデオカメラ１０とリモコン２０間の有効な通信路を示す通信状態識別アイコン５２が、ブルートゥース（ＢＴ）のみの通信路が利用可能であることを示すアイコンとなっている。
【０１５０】
図１３（Ａ）に示す通信状態識別アイコン５１は、Ｗｉ−Ｆｉ対応アイコンと、ブルートゥース（ＢＴ）対応アイコンを合成して生成した１つのアイコンである。
このようなアイコンを利用することで、Ｗｉ−Ｆｉ対応アイコンと、ブルートゥース（ＢＴ）対応アイコンを個別に表示する場合に比較して、表示スペースを小さくすることが可能となり、限られた表示スペースを有効に利用することが可能となる。
【０１５１】
図１４は、ビデオカメラ１０の表示部１１に表示される主要アイコンについての説明図である。
図１４には、以下のアイコンに関する説明を示している。
（１）ワイファイ（Ｗｉ−Ｆｉ）およびブルートゥース（ＢＴ：Ｂｌｕｅｔｏｏｔｈ（登録商標））接続情報
（２）ブルートゥース（ＢＴ：Ｂｌｕｅｔｏｏｔｈ（登録商標））接続情報
（３）ＧＰＳ情報
（４）カメラバッテリ残量情報
これらは、図１３に示すビデオカメラ１０の表示部１１に表示されるアイコンの一部である。
【０１５２】
（１）に示すアイコンは、ワイファイ（Ｗｉ−Ｆｉ）およびブルートゥース（ＢＴ：Ｂｌｕｅｔｏｏｔｈ（登録商標））接続情報である。このアイコンは、先に説明したように、ビデオカメラ１０とリモコン２０間において、Ｗｉ−Ｆｉ通信とブルートゥース（ＢＴ）通信の双方が利用可能な場合に表示されるアイコンである。
ビデオカメラ１０とリモコン２０間において、Ｗｉ−Ｆｉ通信とブルートゥース（ＢＴ）通信の双方が利用可能でない場合は、アイコンが非表示状態となる。
【０１５３】
（２）に示すアイコンは、ブルートゥース（ＢＴ：Ｂｌｕｅｔｏｏｔｈ（登録商標））接続情報である。このアイコンは、ビデオカメラ１０とリモコン２０間においてブルートゥース（ＢＴ：Ｂｌｕｅｔｏｏｔｈ（登録商標））通信のみが利用可能状態で表示されるアイコンである。
ビデオカメラ１０とリモコン２０間においてブルートゥース（ＢＴ）通信ができないブルートゥース（ＢＴ）非接続状態では、アイコンが非表示状態となる。
【０１５４】
（３）に示すアイコンは、ＧＰＳ情報が利用可能な場合に表示されるアイコンである。
ＧＰＳ情報が利用できない場合は、非表示とされる。
【０１５５】
（４）に示すアイコンは、カメラバッテリ残量情報であり、ビデオカメラ１０に装着されたバッテリのバッテリ残量を示す。バッテリ残量に応じて、電池型のアイコンの表示態様が変化する設定である。
【０１５６】
この他にも、ビデオカメラ１０の表示部１１には、図１３に示すように、様々な情報を示す多数のアイコンが表示される。
例えば、撮影画像の種類（ＭＰ４，３０Ｐ）、手ブレ補正態様（Ｓｔｄ）、現在時間情報、撮影開始からの経過時間情報、撮影画像の種類（動画／静止画）、画角情報（ノーマル（Ｎ）／ワイド（Ｗ））等の様々な情報が表示される。
【０１５７】
［７．リモコンとビデオカメラのモード遷移とモード対応の表示情報について］
次に、リモコン２０とビデオカメラ１０のモード遷移と、各モードにおいてリモコン２０の表示部２１と、ビデオカメラ１０の表示部１１に表示される表示情報について説明する。
【０１５８】
図１５は、リモコン２０と、ビデオカメラ１０のモード遷移に伴う表示情報の変化を示す図である。
図１５の上部に、リモコン２０のモード遷移と、各モードにおける表示部２１の表示情報の例を示している。
一方、図１５の下部には、ビデオカメラ１０のモード遷移と、各モードにおける表示部１１の表示情報の例を示している。
【０１５９】
図１５上部に示すリモコン２０のモード遷移の条件として示すステップＳ１１〜Ｓ１６は、先に図９、図１１を参照して説明した遷移ステップと同じである。
図１５下部に示すビデオカメラ１０もリモコンのモード遷移に応じて、リモコン２０のモードと同様のモード遷移が発生し、リモコン２０の設定モードと同様のモードに設定される。
【０１６０】
図１５には、先に図８〜図１１を参照して説明したと同様、以下の４つのモードを示している。以下の４つのモードである。
（Ａ）録画準備状態の（ａ１）録画準備画像表示モード、
（Ｂ）録画実行状態の（ｂ１）録画画像表示ノーマルモード、
（Ｂ）録画実行状態の（ｂ２）録画画像非表示スタミナモード、
（Ｂ）録画実行状態の（ｂ３）録画画像非表示ブルートゥース（ＢＴ）単独通信モード、
【０１６１】
以下、各モードにおける（１）通信状態、（２）表示情報（リモコン、ビデオカメラ）、さらに（３）モード遷移について説明する。
【０１６２】
［７−１．（Ａ）録画準備状態の（ａ１）録画準備画像表示モードにおける通信状態と表示情報とモード遷移について］
まず、（Ａ）録画準備状態の（ａ１）録画準備画像表示モードにおける通信状態と表示情報とモード遷移について説明する。
（１）通信状態
この（Ａ）録画準備状態の（ａ１）録画準備画像表示モードにおいては、ビデオカメラ１０と、リモコン２０は、Ｗｉ−Ｆｉ通信、ブルートゥース（ＢＴ）通信の両通信が利用できる。
【０１６３】
（２）表示情報
（２ａ）リモコン２０の表示部２１の表示情報
リモコン２０の表示部２１には、
ビデオカメラ１０からＷｉ−Ｆｉを介して送信される撮影画像（≠録画画像）が表示される。
また、表示部２１下部の録画実行ランプは消灯し、録画が実行されていないことを示す。
表示部２１上部には、Ｗｉ−Ｆｉ接続アイコン、ブルートゥース（ＢＴ）接続アイコンが表示され、ビデオカメラ１０とリモコン２０間のＷｉ−Ｆｉ通信、ＢＴ通信、何れも有効であり利用できる状態であることを示している。
【０１６４】
さらに、撮影画像（≠録画画像）上に、以下の識別情報が表示される。
「モード設定キー操作可能状態識別情報」
ユーザは、リモコン２０の表示部２１に表示された「モード設定キー操作可能状態識別情報」を見て、リモコン２０のモード設定キーの操作により、モードを変更することができることを知ることができる。
【０１６５】
（２ｂ）ビデオカメラ１０の表示部１１の表示情報
ビデオカメラ１０の表示部１１には、
先に図１４（１）を参照して説明したＷｉ−Ｆｉ接続とブルートゥース（ＢＴ）接続が有効であることを示すＷｉ−Ｆｉ／ＢＴ接続アイコンが表示され、ビデオカメラ１０とリモコン２０間のＷｉ−Ｆｉ通信、ＢＴ通信、何れも利用可能であることが分かる。
【０１６６】
（３）モード遷移
この（Ａ）録画準備状態の（ａ１）録画準備画像表示モードにおいて、ユーザによるリモコン２０に対する録画開始停止キー（ＲＥＣキー（ＳＳキー））に対するキー操作によって、（ステップＳ１１）のモード遷移が発生する。
ステップＳ１１は、
（Ａ）録画準備状態の（ａ１）録画準備画像表示モードから、
（Ｂ）録画実行状態の（ｂ１）録画画像表示ノーマルモードへの、
モード遷移ステップである。
【０１６７】
このモード遷移処理に際して、以下の処理が行われる。
（ｐ）リモコン２０から、ビデオカメラ１０に対する録画開始要求の送信、
（ｑ）ビデオカメラ１０による録画処理の開始、
（ｒ）ビデオカメラ１０による撮影画像（＝録画画像）のリモコン２０に対する送信処理、
（ｓ）リモコン２０の表示部２１に対する撮影画像（＝録画画像）の表示処理、
なお、この時点の送信表示画像は、録画処理が行われている画像である。
【０１６８】
［７−２．（Ｂ）録画実行状態の（ｂ１）録画画像表示ノーマルモードにおける通信状態と表示情報とモード遷移について］
次に、（Ｂ）録画実行状態の（ｂ１）録画画像表示ノーマルモードにおける通信状態と表示情報とモード遷移について説明する。
（１）通信状態
この（Ｂ）録画実行状態の（ｂ１）録画画像表示ノーマルモードにおいては、ビデオカメラ１０と、リモコン２０は、Ｗｉ−Ｆｉ通信、ブルートゥース（ＢＴ）通信の両通信が利用できる。
【０１６９】
（２）表示情報
（２ａ）リモコン２０の表示部２１の表示情報
リモコン２０の表示部２１には、
ビデオカメラ１０からＷｉ−Ｆｉを介して送信される撮影画像（＝録画画像）が表示される。
また、表示部２１下部の録画実行ランプは点灯し、録画が実行されていることを示す。
表示部２１上部には、Ｗｉ−Ｆｉ接続アイコン、ブルートゥース（ＢＴ）接続アイコンが表示され、ビデオカメラ１０とリモコン２０間のＷｉ−Ｆｉ通信、ＢＴ通信、何れも有効であり利用できる状態であることを示している。
【０１７０】
さらに、撮影画像（＝録画画像）上に、以下の識別情報が表示される。
「モード設定キー操作可能状態識別情報」
ユーザは、リモコン２０の表示部２１に表示された「モード設定キー操作可能状態識別情報」を見て、リモコン２０のモード設定キーの操作により、モードを変更することができることを知ることができる。
【０１７１】
（２ｂ）ビデオカメラ１０の表示部１１の表示情報
ビデオカメラ１０の表示部１１には、
先に図１４（１）を参照して説明したＷｉ−Ｆｉ接続とブルートゥース（ＢＴ）接続が有効であることを示すＷｉ−Ｆｉ／ＢＴ接続アイコンが表示され、ビデオカメラ１０とリモコン２０間のＷｉ−Ｆｉ通信、ＢＴ通信、何れも利用可能であることが分かる。
【０１７２】
（３）モード遷移
この（Ｂ）録画実行状態の（ｂ１）録画画像表示ノーマルモードにおいて、ユーザによるリモコン２０に対する無操作状態が１０秒経過すると（ステップＳ１２）のモード遷移が発生する。
ステップＳ１２は、
（Ｂ）録画実行状態の（ｂ１）録画画像表示ノーマルモードから、
（Ｂ）録画実行状態の（ｂ２）録画画像表示スタミナモードへの、
モード遷移ステップである。
【０１７３】
このモード遷移処理に際して、以下の処理が行われる。
（ｐ）リモコン２０から、ビデオカメラ１０に対する録画画像送信停止要求の送信、
（ｑ）ビデオカメラ１０による撮影画像（＝録画画像）のリモコン２０に対する送信処理の停止、
（ｒ）リモコン２０の表示部２１に対する撮影画像（＝録画画像）の表示処理の停止、
なお、このモード遷移が発生しても、ビデオカメラ１０は、録画処理を継続する。
【０１７４】
また、この（Ｂ）録画実行状態の（ｂ１）録画画像表示ノーマルモードにおいて、ユーザがリモコン２０に対して、記録停止の入力操作、すなわち、録画開始停止キー（ＲＥＣキー（＝ＳＳキー））のキー操作を実行すると、（ステップＳ１６）のモード遷移が発生し、
（Ａ）録画準備状態の（ａ１）録画準備画像表示モード、
に移行する。
【０１７５】
このモード遷移により、以下の処理が実行される。
（ｐ）リモコン２０から、ビデオカメラ１０に対する録画処理の停止要求送信、
（ｑ）ビデオカメラ１０による録画処理の停止処理、
（ｒ）ビデオカメラ１０による撮影画像（≠録画画像）のリモコン２０に対する送信処理、
（ｓ）リモコン２０の表示部２１に対する撮影画像（≠録画画像）の表示処理、
なお、このモード遷移後の送信表示画像は、録画処理が行われていない画像である。
【０１７６】
［７−３．（Ｂ）録画実行状態の（ｂ２）録画画像非表示スタミナモードにおける通信状態と表示情報とモード遷移について］
次に、（Ｂ）録画実行状態の（ｂ２）録画画像非表示スタミナモードにおける通信状態と表示情報とモード遷移について説明する。
（１）通信状態
この（Ｂ）録画実行状態の（ｂ２）録画画像非表示スタミナモードにおいては、ビデオカメラ１０と、リモコン２０は、Ｗｉ−Ｆｉ通信、ブルートゥース（ＢＴ）通信の両通信が利用できる。
【０１７７】
（２）表示情報
（２ａ）リモコン２０の表示部２１の表示情報
このモードでは、ビデオカメラ１０から撮影画像（＝録画画像）が送信されない。
従って、リモコン２０の表示部２１には、撮影画像（＝録画画像）は表示されない。
ただし、表示部２１下部の録画実行ランプは点灯し、録画が実行されていることを示す。
表示部２１上部には、Ｗｉ−Ｆｉ接続アイコン、ブルートゥース（ＢＴ）接続アイコンが表示され、ビデオカメラ１０とリモコン２０間のＷｉ−Ｆｉ通信、ＢＴ通信、何れも有効であり利用できる状態であることを示している。
【０１７８】
このモードでは、表示部２１に対する撮影画像の表示は停止される。ただし、以下の識別情報が表示される。
「モード設定キー操作可能状態識別情報」
ユーザは、リモコン２０の表示部２１に表示された「モード設定キー操作可能状態識別情報」を見て、リモコン２０のモード設定キーの操作により、モードを変更することができることを知ることができる。
【０１７９】
さらに、表示部２１には、
「録画開始停止キー操作可能状態識別情報」
が表示される。
ユーザは、リモコン２０の表示部２１に表示された「録画開始停止キー操作可能状態識別情報」を見て、リモコン２０の録画開始停止キー（ＲＥＣキー（ＳＳキー））が有効であり、このキー操作によって録画処理の開始や停止を行うことができることを知ることができる。
【０１８０】
（２ｂ）ビデオカメラ１０の表示部１１の表示情報
ビデオカメラ１０の表示部１１には、
先に図１４（１）を参照して説明したＷｉ−Ｆｉ接続とブルートゥース（ＢＴ）接続が有効であることを示すＷｉ−Ｆｉ／ＢＴ接続アイコンが表示され、ビデオカメラ１０とリモコン２０間のＷｉ−Ｆｉ通信、ＢＴ通信、何れも利用可能であることが分かる。
【０１８１】
（３）モード遷移
この（Ｂ）録画実行状態の（ｂ２）録画画像非表示スタミナモードにおいて、ユーザによるリモコン２０に対する無操作状態が６０秒継続すると、（ステップＳ１４）のモード遷移が発生する。
ステップＳ１４は、
（Ｂ）録画実行状態の（ｂ２）録画画像非表示スタミナモードから、
（Ｂ）録画実行状態の（ｂ３）録画画像非表示ブルートゥース（ＢＴ）単独通信モードへの、
モード遷移ステップである。
【０１８２】
（ｐ）リモコン２０とビデオカメラ１０とのＷｉ−Ｆｉ接続の停止、
（ｑ）ビデオカメラ１０からのステータス情報の送信経路をＷｉ−ＦｉからＢＴに切り替える処理、
（ｒ）リモコン２０からビデオカメラ１０に対する操作情報をＷｉ−Ｆｉを使用せず、全てＢＴ通信に切り替える処理、
なお、このモード遷移が発生しても、ビデオカメラ１０は、録画処理を継続する。
【０１８３】
また、この（Ｂ）録画実行状態の（ｂ１）録画画像非表示スタミナモードにおいて、ユーザによるリモコン２０に対する画像表示指示がなされると（ステップＳ１５）のモード遷移が発生する。
ステップＳ１５は、
（Ｂ）録画実行状態の（ｂ２）録画画像非表示スタミナモードから、
（Ｂ）録画実行状態の（ｂ１）録画画像表示ノーマルモードへの、
モード遷移ステップである。
【０１８４】
なお、この（ｂ２）録画画像非表示スタミナモードにおいて、ユーザによるリモコン２０に対して行われる入力操作中、録画開始停止キー（ＲＥＣキー（ＳＳキー））等の特定キー以外のキー操作、あるいはタッチパネルとして機能する表示部に対するタッチ操作のほとんどは、画像表示指示入力として解釈され、このステップＳ１５のモード遷移が発生する。
【０１８５】
このモード遷移により、以下の処理が実行される。
（ｐ）リモコン２０から、ビデオカメラ１０に対する撮影画像（＝録画画像）の送信要求、
（ｑ）ビデオカメラ１０による撮影画像（＝録画画像）のリモコン２０に対する送信処理、
（ｒ）リモコン２０の表示部２１に対する撮影画像（＝録画画像）の表示処理、
なお、この時点の送信表示画像は、録画処理が行われている画像である。
【０１８６】
さらに、この（Ｂ）録画実行状態の（ｂ２）録画画像非表示スタミナモードにおいて、ユーザがリモコン２０に対して、記録停止の入力操作、すなわち、録画開始停止キー（ＲＥＣキー（＝ＳＳキー））のキー操作を実行すると、（ステップＳ１６）のモード遷移が発生し、
（Ａ）録画準備状態の（ａ１）録画準備画像表示モード、
に移行する。
【０１８７】
このモード遷移により、以下の処理が実行される。
（ｐ）リモコン２０から、ビデオカメラ１０に対する録画処理の停止要求送信、
（ｑ）ビデオカメラ１０による録画処理の停止処理、
（ｒ）ビデオカメラ１０による撮影画像（≠録画画像）のリモコン２０に対する送信処理、
（ｓ）リモコン２０の表示部２１に対する撮影画像（≠録画画像）の表示処理、
なお、このモード遷移後の送信表示画像は、録画処理が行われていない画像である。
【０１８８】
［７−４．（Ｂ）録画実行状態の（ｂ３）録画画像非表示ブルートゥース（ＢＴ）単独通信モードにおける通信状態と表示情報とモード遷移について］
次に、（Ｂ）録画実行状態の（ｂ３）録画画像非表示ブルートゥース（ＢＴ）単独通信モードにおける通信状態と表示情報とモード遷移について説明する。
（１）通信状態
この（Ｂ）録画実行状態の（ｂ３）録画画像非表示ブルートゥース（ＢＴ）単独通信モードにおける通信状態と表示情報とモードにおいては、ビデオカメラ１０と、リモコン２０は、ブルートゥース（ＢＴ）通信のみ利用できる。
【０１８９】
（２）表示情報
（２ａ）リモコン２０の表示部２１の表示情報
このモードでは、ビデオカメラ１０から撮影画像（＝録画画像）が送信されない。
従って、リモコン２０の表示部２１には、撮影画像（＝録画画像）は表示されない。
ただし、表示部２１下部の録画実行ランプは点灯し、録画が実行されていることを示す。
【０１９０】
表示部２１上部のＷｉ−Ｆｉ接続アイコンは非表示となり、ブルートゥース（ＢＴ）接続アイコンのみが表示され、ビデオカメラ１０とリモコン２０間のＢＴ通信のみ利用できる状態であることを示している。
【０１９１】
このモードでは、表示部２１に対する撮影画像の表示は停止される。ただし、以下の識別情報が表示される。
「モード設定キー操作可能状態識別情報」
ユーザは、リモコン２０の表示部２１に表示された「モード設定キー操作可能状態識別情報」を見て、リモコン２０のモード設定キーの操作により、モードを変更することができることを知ることができる。
【０１９２】
さらに、表示部２１には、
「録画開始停止キー操作可能状態識別情報」
が表示される。
ユーザは、リモコン２０の表示部２１に表示された「録画開始停止キー操作可能状態識別情報」を見て、リモコン２０の録画開始停止キー（ＲＥＣキー（ＳＳキー））が有効であり、このキー操作によって録画処理の開始や停止を行うことができることを知ることができる。
【０１９３】
（２ｂ）ビデオカメラ１０の表示部１１の表示情報
ビデオカメラ１０の表示部１１には、
先に図１４（２）を参照して説明したブルートゥース（ＢＴ）接続が有効であることを示すブルートゥース（ＢＴ）接続アイコンが表示され、ビデオカメラ１０とリモコン２０間のＢＴ通信が利用可能であることが分かる。
【０１９４】
（３）モード遷移
この（Ｂ）録画実行状態の（ｂ３）録画画像非表示ブルートゥース（ＢＴ）単独通信モードにおいて、ユーザによるリモコン２０に対する画像表示指示がなされると（ステップＳ１５）のモード遷移が発生する。
ステップＳ１５は、
（Ｂ）録画実行状態の（ｂ３）録画画像非表示ブルートゥース（ＢＴ）単独通信モードから、
（Ｂ）録画実行状態の（ｂ１）録画画像表示ノーマルモードへの、
モード遷移ステップである。
【０１９５】
なお、この（ｂ３）録画画像非表示ブルートゥース（ＢＴ）単独通信モードにおいて、ユーザによるリモコン２０に対して行われる入力操作中、録画開始停止キー（ＲＥＣキー（ＳＳキー））等の特定キー以外のキー操作、あるいはタッチパネルとして機能する表示部に対するタッチ操作のほとんどは、画像表示指示入力として解釈され、このステップＳ１５のモード遷移が発生する。
【０１９６】
このモード遷移により、以下の処理が実行される。
（ｐ）リモコン２０から、ビデオカメラ１０に対する撮影画像（＝録画画像）の送信要求、
（ｑ）ビデオカメラ１０による撮影画像（＝録画画像）のリモコン２０に対する送信処理、
（ｒ）リモコン２０の表示部２１に対する撮影画像（＝録画画像）の表示処理、
なお、この時点の送信表示画像は、録画処理が行われている画像である。
【０１９７】
さらに、この（Ｂ）録画実行状態の（ｂ３）録画画像非表示ブルートゥース（ＢＴ）単独通信モードにおいて、ユーザによるリモコン２０に対する録画開始停止キー（ＲＥＣキー（ＳＳキー））に対するキー操作によって、（ステップＳ１６）のモード遷移が発生する。
ステップＳ１６は、
（Ｂ）録画実行状態の（ｂ３）録画画像非表示ブルートゥース（ＢＴ）単独通信モードから、
（Ａ）録画準備状態の（ａ１）録画準備画像表示モードへの、
モード遷移ステップである。
【０１９８】
このモード遷移により、以下の処理が実行される。
（ｐ）リモコン２０から、ビデオカメラ１０に対する録画処理の停止要求送信、
（ｑ）ビデオカメラ１０による録画処理の停止処理、
（ｒ）ビデオカメラ１０による撮影画像（≠録画画像）のリモコン２０に対する送信処理、
（ｓ）リモコン２０の表示部２１に対する撮影画像（≠録画画像）の表示処理、
なお、このモード遷移後の送信表示画像は、録画処理が行われていない画像である。
【０１９９】
［８．リモコンのキー設定と表示情報の変更例について］
先に、図１０を参照してリモコン２０の表示部２１に、各モードにおける操作可能情報を表示し、ユーザにどのキーが有効に利用可能であるかを知らせることを可能とした構成について説明した。
図１０に示すように、モード設定キー３２ａ，３２ｂは、表示部２１のサイドに設けられたユーザ操作可能なキーである。
例えば、モード設定キー３２ａ，３２ｂの操作により、動画撮影モード、静止画撮影モード等の撮影モードの切り換えを行うことができる。
【０２００】
このモード設定キー３２ａ，３２ｂは、動画と静止画撮影モードの切り換えスイッチとして機能するのみではなく、例えばズームアップとズームダウンのズーム設定キーとして利用することも可能である。
リモコン２０には、これらのモード設定キー３２ａ，３２ｂの機能切り替えスイッチが設けられており、このスイッチの操作により、モード設定キー３２ａ，３２ｂをズーム設定キーに変更することができる。
【０２０１】
このようにリモコン２０のキー設定を変更した場合、リモコン２０の表示部２１に表示される情報も変更される。
具体例について、図１６を参照して説明する。
図１６には、以下の２つのモートにおけるリモコン２０の表示部２１の表示例を示している。
（Ａ）録画準備状態の（ａ１）録画準備画像表示モード、
（Ｂ）録画実行状態の（ｂ２）録画画像非表示スタミナモード、
【０２０２】
図１６に示すように、（ａ１）録画準備画像表示モードのリモコン表示部２１には、
「ズーム設定キー操作可能状態識別情報４１」が表示される。
図１６に示すように、ズーム設定キー４２ａ，４２ｂは、表示部２１のサイドに設けられたユーザ操作可能なキーである。
例えば、ズーム設定キー４２ａ，４２ｂの操作により、ズームアップ、ズームダウンのズーム設定の変更を行うことができる。
【０２０３】
表示部２１に表示されたズーム設定キー操作可能状態識別情報４１は、ズーム設定キー４２ａ，４２ｂの操作が有効であることをユーザに通知するための表示情報である。
ユーザは、表示部２１に表示された「ズーム設定キー操作可能状態識別情報４１」を見て、ズーム設定キー４２ａ，４２ｂが有効であり、これらのキー操作によってズームアップ、ズームダウンのズーム調整を行うことができることを知ることができる。
【０２０４】
また、図１６の右側には、（ｂ２）録画画像非表示スタミナモードのリモコン表示部２１の表示例を示している。表示部２１には、
「ズーム設定キー操作可能状態識別情報４１」の他、
「録画開始停止キー操作可能状態識別情報３５」
が表示される。
「録画開始停止キー操作可能状態識別情報３５」は、やはり、表示部２１のサイドに設けられた録画開始停止キー（ＲＥＣキー（ＳＳキー））３３が有効であることをユーザに通知するために表示される。
【０２０５】
録画開始停止キー（ＲＥＣキー（ＳＳキー））３３は、録画処理の開始、および録画処理の停止を実行するためのキーである。
ユーザは、表示部２１に表示された「録画開始停止キー操作可能状態識別情報３５」を見て、録画開始停止キー（ＲＥＣキー（ＳＳキー））３３が有効であり、これらのキー操作によって録画処理の開始や停止を行うことができることを知ることができる。
【０２０６】
このように、リモコン２０の表示部２１には、各モードにおいて有効に利用可能なキーに関する識別情報が表示される。
ユーザは、これらの識別情報を見て、リモコン２０のどのキーが利用可能であるかを確認し、この確認の下でキー操作を行うことができる。
【０２０７】
［９．その他の実施例について］
上述した実施例は、ビデオカメラ１０とリモコン２０を利用した実施例であるが、本開示のモード遷移に従った通信形態の変更構成は、その他の様々な通信装置間においても適用可能である。
【０２０８】
図１７を参照して、本開示のモード遷移に従った通信形態の変更処理を適用可能な一構成例について説明する。
図１７には、人が呑み込み可能なカプセルに画像撮影可能なカメラを格納したビデオカメラ内蔵カプセル７０と、このビデオカメラ内蔵カプセル７０と通信を実行するＰＣ８０を示している。
【０２０９】
ＰＣ８０と、ビデオカメラ内蔵カプセル７０は、Ｗｉ−Ｆｉ通信、およびブルートゥース（ＢＴ）通信を併用して様々な通信処理を実行する。
具体的には、以下の各処理を実行する。
（ａ）ビデオカメラ内蔵カプセル７０のビデオカメラの撮影した画像をＷｉ−Ｆｉ通信を介してＰＣ８０に送信する。
（ｂ）ビデオカメラ内蔵カプセル７０のビデオカメラの撮影画像情報や、位置情報等のステータス情報をＷｉ−Ｆｉ通信、またはＢＴ通信を介してＰＣ８０に送信する。
（ｃ）ＰＣ８０からのコマンド（画像撮影開始、停止、ズーム、フラッシュ撮影等のコマンド）をビデオカメラ内蔵カプセル７０内のビデオカメラにＷｉ−Ｆｉ通信、またはＢＴ通信を介して送信する。
【０２１０】
ビデオカメラ内蔵カプセル７０のビデオカメラと、ＰＣ８０間では、これらの様々なデータ通信が実行される。
このようなデータ通信において、先に説明したビデオカメラ１０とリモコン２０間のモード遷移に従った通信形態の変更を実行することで、バッテリ消費の低減による省電力を実現することができる。
【０２１１】
図１８を参照して、具体的なモード遷移例について説明する。
図１８には、ビデオカメラ内蔵カプセル７０のビデオカメラと、ＰＣ８０間における３つのモード対応のデータ通信態様を示している。
以下の３つのモードである。
（１）画像転送実行モード
（２）画像転送停止モード
（３）画像転送停止＆ブルートゥース（ＢＴ）単独通信モード
【０２１２】
上記３つのモードにおけるビデオカメラ内蔵カプセル７０のビデオカメラと、ＰＣ８０間におけるデータ通信態様を以下のように設定する。
（１）画像転送実行モード
この画像転送実行モードでは、以下のデータ通信を実行する。
（１ａ）ビデオカメラ内蔵カプセル７０のビデオカメラの撮影した画像をＷｉ−Ｆｉ通信を介してＰＣ８０に送信する。
（１ｂ）ビデオカメラ内蔵カプセル７０のビデオカメラの撮影画像情報や、位置情報等のステータス情報をＷｉ−Ｆｉ通信、またはＢＴ通信を介してＰＣ８０に送信する。
（１ｃ）ＰＣ８０からのコマンド（画像撮影開始、停止、ズーム、フラッシュ撮影等のコマンド）をビデオカメラ内蔵カプセル７０内のビデオカメラにＷｉ−Ｆｉ通信、またはＢＴ通信を介して送信する。
【０２１３】
このモードでは、ビデオカメラ内蔵カプセル７０のビデオカメラの撮影した画像が、Ｗｉ−Ｆｉ通信を介してＰＣ８０に送信され、送信画像がＰＣ８０の表示部に表示される。
【０２１４】
（２）画像転送停止モード
この画像転送停止モードでは、以下のデータ通信を実行する。
（２ａ）ビデオカメラ内蔵カプセル７０のビデオカメラの撮影画像情報や、位置情報等のステータス情報をＷｉ−Ｆｉ通信、またはＢＴ通信を介してＰＣ８０に送信する。
（２ｂ）ＰＣ８０からのコマンド（画像撮影開始、停止、ズーム、フラッシュ撮影等のコマンド）をビデオカメラ内蔵カプセル７０内のビデオカメラにＷｉ−Ｆｉ通信、またはＢＴ通信を介して送信する。
【０２１５】
このモードでは、
ビデオカメラ内蔵カプセル７０のビデオカメラの撮影した画像のＷｉ−Ｆｉ通信を介したＰＣ８０への送信処理は行われず、ＰＣ８０における撮影画像の表示処理も停止される。
この画像送信、表示処理の停止により、ビデオカメラ内蔵カプセル７０内のビデオカメラのバッテリや、ＰＣ８０のバッテリ消費が低減され、省電力が実現される。
【０２１６】
（３）画像転送停止＆ブルートゥース（ＢＴ）単独通信モード
この画像転送停止＆ブルートゥース（ＢＴ）単独通信モードでは、以下のデータ通信を実行する。
（３ａ）ビデオカメラ内蔵カプセル７０のビデオカメラの撮影画像情報や、位置情報等のステータス情報をＢＴ通信のみを利用してＰＣ８０に送信する。
（３ｂ）ＰＣ８０からのコマンド（画像撮影開始、停止、ズーム、フラッシュ撮影等のコマンド）をビデオカメラ内蔵カプセル７０内のビデオカメラにＢＴ通信のみを利用して送信する。
【０２１７】
このモードでは、
ビデオカメラ内蔵カプセル７０のビデオカメラの撮影した画像のＷｉ−Ｆｉ通信を介したＰＣ８０への送信処理は行われず、ＰＣ８０における撮影画像の表示処理も停止される。
さらに、その他のデータのＷｉ−Ｆｉ通信も停止される。
この画像送信、表示処理の停止、およびＷｉ−Ｆｉ通信の停止処理により、ビデオカメラ内蔵カプセル７０内のビデオカメラのバッテリや、ＰＣ８０のバッテリ消費がさらに低減され、さらなる省電力が実現される。
【０２１８】
図１７、図１８を参照して説明した構成以外にも、Ｗｉ−Ｆｉ通信とブルートゥース（ＢＴ）通信を併用する様々な通信システムにおいて、本開示のモードに応じた通信態様の変更処理を実行することで、各装置のバッテリ消費を低減し、省電力を実現することができる。
【０２１９】
［１０．情報処理装置の構成について］
次に、本開示の情報処理システムを構成する各情報処理装置のハードウェア構成例について、図１９以下を参照して説明する。
【０２２０】
図１９は、図１に示すビデオカメラ１０と、リモコン２０の構成例を示すブロック図である。
ビデオカメラ１０は、制御部１０１、撮像部１０２、表示部１０３、入力部（操作部）１０４、出力部１０５、記憶部１０６、通信部１０７、計時部１０８を有する。
【０２２１】
制御部１０１は、画像の撮影制御、表示制御、データ送受信制御、モード変更制御等、ビデオカメラ１０において実行するデータ処理の制御を実行する。制御部１０１は、プログラム実行機能を有するＣＰＵを有し、記憶部１０６に格納されたアプリケーション（プログラム）に従った処理等を実行する。
具体的には、例えば先に説明したシーケンスに従った処理等を行なう。
【０２２２】
撮像部１０２は、画像撮影用の撮像部であり、動画や静止画の撮影を行う。撮影処理に際しては、制御部１０１の制御下で撮影開始タイミングや終了タイミングが制御される。
【０２２３】
表示部１０３は、リモコン２０との通信状況の情報、バッテリ残量情報等の表示に利用される。さらに、撮影画像の表示や、撮影済みの画像を記憶部１０６から読み出して表示する処理などに利用することも可能である。
【０２２４】
入力部１０４は、ユーザ操作可能な入力部であり、様々な操作指示などを行うための入力部である。タッチパネル形式の表示部も入力部の一部である。
出力部１０５は、画像出力、音声出力、その他、外部機器に対するデータ出力部等によって構成される。表示部１０３も出力部１０５の構成要素の１つである
【０２２５】
記憶部１０６は、ＲＡＭ、ＲＯＭ、その他の記録メディア等によって構成される。撮影画像の記憶領域として利用され、さらに、制御部１０１の実行するアプリケーションプログラムの格納領域としても利用される。さらに制御部１０１の実行するデータ処理に適用するパラメータ等の記憶領域、ワーク領域としても利用される。
【０２２６】
通信部１０７は、例えばリモコン２０等の外部機器との通信処理に利用される通信部であり、Ｗｉ−Ｆｉ、ブルートゥース（ＢＴ）等の無線通信の他、通信ケーブル等を利用した有線通信等、各種の通信経路を介したデータ通信に利用される。
図１９に示す例には、リモコン２０の通信部２０６との通信経路を示している。
【０２２７】
先に説明した実施例のように、これらの２つの装置の通信部を介して、様々な通信が実行される。
例えば、リモコン２０の操作情報等がビデオカメラ１０に送信され、ビデオカメラ１０による撮影開始、撮影停止等、の制御が行われる。さらに、撮影画像の送信開始、停止等のコマンドがリモコン２０からビデオカメラ１０に送信され、ビデオカメラ１０から撮影画像がリモコン２０に送信される。
【０２２８】
計時部１０８は、例えば、現在時間情報を示す時計機能の他、撮影開始からの経過時間を計測するタイマ機能等を含む。さらに、リモコン側からの操作情報の入力の無い期間の計測などにも利用される。
【０２２９】
リモコン２０は、制御部２０１、表示部２０２、入力部（操作部）２０３、出力部２０４、記憶部２０５、通信部２０６、計時部２０７を有する。
【０２３０】
制御部２０１は、リモコン２０において実行される画像の表示制御、データ送受信制御、操作情報の解析、モード変更制御等、リモコン２０において実行するデータ処理の制御を実行する。制御部２０１は、プログラム実行機能を有するＣＰＵを有し、記憶部２０５に格納されたアプリケーション（プログラム）に従った処理等を実行する。
具体的には、例えば先に説明したシーケンスに従った処理等を行なう。
【０２３１】
表示部２０２は、例えば先に説明したように、ビデオカメラ１０による撮影画像、ビデオカメラ１０との通信状況の情報、バッテリ残量情報等の表示に利用される。
【０２３２】
入力部２０３は、ユーザ操作可能な入力部であり、様々な操作指示などを行うための入力部である。タッチパネル形式の表示部も入力部の一部である。
出力部２０４は、画像出力、音声出力、その他、外部機器に対するデータ出力部等によって構成される。表示部２０２も出力部２０４の構成要素の１つである
【０２３３】
記憶部２０５は、ＲＡＭ、ＲＯＭ、その他の記録メディア等によって構成される。撮影画像の記憶領域として利用され、さらに、制御部２０１の実行するアプリケーションプログラムの格納領域としても利用される。さらに制御部２０１の実行するデータ処理に適用するパラメータ等の記憶領域、ワーク領域としても利用される。
【０２３４】
通信部２０６は、例えばビデオカメラ１０等の外部機器との通信処理に利用される通信部であり、Ｗｉ−Ｆｉ、ブルートゥース（ＢＴ）等の無線通信の他、通信ケーブル等を利用した有線通信等、各種の通信経路を介したデータ通信に利用される。
図１９に示す例には、ビデオカメラ１０の通信部１０７との通信経路を示している。
【０２３５】
先に説明した実施例のように、これらの２つの装置の通信部を介して、様々な通信が実行される。
例えば、リモコン２０の操作情報等がビデオカメラ１０に送信され、ビデオカメラ１０による撮影開始、撮影停止等、の制御が行われる。さらに、撮影画像の送信開始、停止等のコマンドがリモコン２０からビデオカメラ１０に送信され、ビデオカメラ１０から撮影画像がリモコン２０に送信される。
【０２３６】
計時部２０７は、例えば、現在時間情報を示す時計機能の他、撮影開始からの経過時間を計測するタイマ機能等を含む。さらに、リモコン２０に対するユーザ操作の無い期間の計測などにも利用される。
【０２３７】
図２０は、図１に示すリモコン２０や、図１８に示すＰＣとして適用可能な情報処理装置のハードウェア構成例を示す図である。
【０２３８】
ＣＰＵ（Ｃｅｎｔｒａｌ  Ｐｒｏｃｅｓｓｉｎｇ  Ｕｎｉｔ）３０１は、ＲＯＭ（Ｒｅａｄ  Ｏｎｌｙ  Ｍｅｍｏｒｙ）３０２、または記憶部３０８に記憶されているプログラムに従って各種の処理を実行する制御部やデータ処理部として機能する。例えば、上述した実施例において説明したシーケンスに従った処理を実行する。ＲＡＭ（Ｒａｎｄｏｍ  Ａｃｃｅｓｓ  Ｍｅｍｏｒｙ）３０３には、ＣＰＵ３０１が実行するプログラムやデータなどが記憶される。これらのＣＰＵ３０１、ＲＯＭ３０２、およびＲＡＭ３０３は、バス３０４により相互に接続されている。
【０２３９】
ＣＰＵ３０１はバス３０４を介して入出力インタフェース３０５に接続され、入出力インタフェース３０５には、各種スイッチ、キーボード、マウス、マイクロホンなどよりなる入力部３０６、ディスプレイ、スピーカなどよりなる出力部３０７が接続されている。ＣＰＵ３０１は、入力部３０６から入力される指令に対応して各種の処理を実行し、処理結果を例えば出力部３０７に出力する。
【０２４０】
入出力インタフェース３０５に接続されている記憶部３０８は、例えばハードディスク等からなり、ＣＰＵ３０１が実行するプログラムや各種のデータを記憶する。通信部３０９は、Ｗｉ−Ｆｉ通信、ブルートゥース（ＢＴ）通信、その他インターネットやローカルエリアネットワークなどのネットワークを介したデータ通信の送受信部として機能し、外部の装置と通信する。
【０２４１】
入出力インタフェース３０５に接続されているドライブ３１０は、磁気ディスク、光ディスク、光磁気ディスク、あるいはメモリカード等の半導体メモリなどのリムーバブルメディア３１１を駆動し、データの記録あるいは読み取りを実行する。
【０２４２】
［１１．本開示の構成のまとめ］
以上、特定の実施例を参照しながら、本開示の実施例について詳解してきた。しかしながら、本開示の要旨を逸脱しない範囲で当業者が実施例の修正や代用を成し得ることは自明である。すなわち、例示という形態で本発明を開示してきたのであり、限定的に解釈されるべきではない。本開示の要旨を判断するためには、特許請求の範囲の欄を参酌すべきである。
【０２４３】
なお、本明細書において開示した技術は、以下のような構成をとることができる。
（１）撮像装置と通信する通信部と、
前記撮像装置に対する操作情報を入力する操作部と、
画像を表示する表示部と、
前記通信部を介して撮像装置からの撮影画像の受信および前記表示部に対する表示処理の制御を実行する制御部を有し、
前記制御部は、
前記撮像装置の撮影中、前記操作部の操作状態に応じて前記撮像装置からの撮影画像を表示部へ表示するか否かを制御する情報処理装置。
【０２４４】
（２）前記制御部は、
前記撮像装置による録画処理実行期間は、撮影画像表示処理の有無に関わらず、録画処理実行中であることを示す表示を行う（１）に記載の情報処理装置。
【０２４５】
（３）前記制御部は、さらに、
前記操作部に対する無操作期間が第２の規定時間に達した場合、前記撮像装置との複数の通信経路の一部を遮断する（１）または（２）に記載の情報処理装置。
【０２４６】
（４）前記通信部は、第１の通信路を介して前記撮像装置からの撮影画像の受信処理を実行する構成であり、
前記制御部は、
前記操作部に対する無操作期間が前記第１の規定時間に達した場合、前記撮像装置からの第１の通信路を介した撮影画像の受信処理を停止する（１）〜（３）いずれかに記載の情報処理装置。
【０２４７】
（５）前記通信部は、第１の通信路と、第２の通信路を利用して前記撮像装置との通信を実行する構成であり、
前記制御部は、
前記操作部に対する無操作期間が第２の規定時間に達した場合、前記撮像装置との第１の通信路を遮断する（１）〜（４）いずれかに記載の情報処理装置。
【０２４８】
（６）前記制御部は、
前記撮像装置からの撮影画像の受信および前記表示部に対する表示処理の停止期間内に、画像表示指示の入力を検出した場合、
前記撮像装置からの撮影画像の受信および前記表示部に対する表示処理を再開する（１）〜（５）いずれかに記載の情報処理装置。
【０２４９】
（７）前記制御部は、
前記撮像装置との第１の通信路の停止期間内に、画像表示指示の入力を検出した場合、
前記撮像装置との第１の通信路を再開し、前記撮像装置からの第１の通信路を介した画像受信と、前記表示部に対する表示処理を再開する（１）〜（６）いずれかに記載の情報処理装置。
【０２５０】
（８）前記制御部は、
ユーザ入力が有効である操作部を示す有効操作部識別情報を、前記表示部に表示する（１）〜（７）いずれかに記載の情報処理装置。
【０２５１】
（９）前記制御部は、
前記表示部に撮影画像を表示しない非表示期間は、撮影画像を表示する表示期間より多くの有効操作部識別情報を表示する（８）に記載の情報処理装置。
【０２５２】
（１０）前記通信部は、第１の通信路と、第２の通信路を利用して前記撮像装置との通信を実行し、
前記制御部は、
前記操作部に対する無操作期間の継続状況に応じて前記撮像装置との第１の通信路を遮断する構成であり、
前記制御部は、
前記撮像装置との間で利用可能な通信路に応じて変更される有効操作部に対応する有効操作部識別情報を前記表示部に表示する（８）〜（９）いずれかに記載の情報処理装置。
【０２５３】
（１１）前記制御部は、
前記撮像装置との第１の通信路停止期間は、
前記撮像装置に対する第２の通信路によって操作情報を送信可能な操作部に関する有効操作部識別情報を前記表示部に表示する（８）〜（１０）いずれかに記載の情報処理装置。
【０２５４】
（１２）撮像装置と、
前記撮像装置の制御を実行するリモコンを有する情報処理システムであり、
前記リモコンは、
前記撮像装置の撮影中、リモコン操作部の操作状態に応じて前記撮像装置からの撮影画像を表示部へ表示するか否かを制御する情報処理システム。
【０２５５】
（１３）前記リモコンは、さらに、
前記リモコン操作部に対する無操作期間が第２の規定時間に達した場合、前記撮像装置との複数の通信経路の一部を遮断する（１２）に記載の情報処理システム。
【０２５６】
（１４）前記リモコンは、第１の通信路を介して前記撮像装置からの撮影画像の受信処理を実行する構成であり、
前記リモコンは、
前記リモコン操作部に対する無操作期間が前記第１の規定時間に達した場合、前記撮像装置からの第１の通信路を介した撮影画像の受信処理を停止する（１２）または（１３）に記載の情報処理システム。
【０２５７】
（１５）前記リモコンは、第１の通信路と、第２の通信路を利用して前記撮像装置との通信を実行する構成であり、
前記リモコンは、
前記リモコン操作部に対する無操作期間が第２の規定時間に達した場合、前記撮像装置との第１の通信路を遮断する（１２）〜（１４）いずれかに記載の情報処理システム。
【０２５８】
（１６）前記リモコンは、
ユーザ入力が有効である操作部を示す有効操作部識別情報を、リモコン表示部に表示する（１２）〜（１５）いずれかに記載の情報処理システム。
【０２５９】
（１７）前記撮像装置は、
前記リモコンとの間で、第１の通信路と、第２の通信路の双方の通信路が利用可能な場合、第１の通信路と、第２の通信路の双方の通信路が利用可能であることを示す１つのアイコンを撮像装置表示部に表示する（１２）〜（１６）いずれかに記載の情報処理システム。
【０２６０】
（１８）画像撮影を実行する撮像部と、
複数の異なる通信路を選択適用してリモコンとの通信を実行する通信部と、
前記リモコンに対するユーザ操作が無い無操作期間が規定時間に達した場合、前記リモコンとの複数の通信経路の一部を遮断する制御部を有し、
前記制御部は、
前記リモコンとの間で、第１の通信路と、第２の通信路の双方の通信路が利用可能な場合、第１の通信路と、第２の通信路の双方か利用可能であることを示す１つのアイコンを表示部に表示する撮像装置。
【０２６１】
（１９）情報処理装置において実行する情報処理方法であり、
前記情報処理装置は、
撮像装置と通信する通信部と、
前記撮像装置に対する操作情報を入力する操作部と、
画像を表示する表示部と、
前記通信部を介して撮像装置からの撮影画像の受信および前記表示部に対する表示処理の制御を実行する制御部を有し、
前記制御部が、
前記撮像装置の撮影中、前記操作部の操作状態に応じて前記撮像装置からの撮影画像を表示部へ表示するか否かを制御する情報処理方法。
【０２６２】
（２０）情報処理装置において情報処理を実行させるプログラムであり、
前記情報処理装置は、
撮像装置と通信する通信部と、
前記撮像装置に対する操作情報を入力する操作部と、
画像を表示する表示部と、
前記通信部を介して撮像装置からの撮影画像の受信および前記表示部に対する表示処理の制御を実行する制御部を有し、
前記プログラムは、前記制御部に、
前記撮像装置の撮影中、前記操作部の操作状態に応じて前記撮像装置からの撮影画像を表示部へ表示するか否かを制御させるプログラム。
【０２６３】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【０２６４】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０２６５】
以上、説明したように、本開示の一実施例の構成によれば、ビデオカメラと、ビデオカメラの撮影画像を表示するリモコンの消費電力の低減、および操作性の向上が実現される。
具体的には、ビデオカメラと、ビデオカメラ撮影画像を表示するリモコンを有するシステムにおいて、リモコン操作部に対する無操作期間が第１の規定時間に達した場合、ビデオカメラからリモコンに対するワイファイ（Ｗｉ−Ｆｉ）通信を介した撮影画像の送信とリモコン表示部への表示処理を停止し、さらに、リモコン操作部に対する無操作期間が第２の規定時間に達した場合、ワイファイ（Ｗｉ−Ｆｉ）通信を遮断する。リモコン表示部には、各モードにおいて有効な操作部情報を表示する。
本構成により、ビデオカメラと、ビデオカメラの撮影画像を表示するリモコンの消費電力の低減、および操作性の向上が実現される。
【符号の説明】
【０２６６】
１０  ビデオカメラ
１１  表示部
２０  リモコン
２１  表示部
２２  操作部
３１  モード設定キー操作脳状態識別情報
３２  モード設定キー
３３  録画開始停止キー
３４  録画／通信状態表示ランプ
３５  録画開始停止キー操作可能状態識別情報
４１  ズーム設定キー操作可能状態識別情報
４２  ズーム設定キー
５１，５２  通信状態識別アイコン
７０  ビデオカメラ内蔵カプセル
８０  ＰＣ
１０１  制御部
１０２  撮像部
１０３  表示部
１０４  入力部（操作部）
１０５  出力部
１０６  記憶部
１０７  通信部
１０８  計時部
２０１  制御部
２０２  表示部
２０３  入力部（操作部）
２０４  出力部
２０５  記憶部
２０６  通信部
２０７  計時部
３０１  ＣＰＵ
３０２  ＲＯＭ
３０３  ＲＡＭ
３０４  バス
３０５  入出力インタフェース
３０６  入力部
３０７  出力部
３０８  記憶部
３０９  通信部
３１０  ドライブ
３１１  リムーバブルメディア
【図１】
2017110263.tif 000003
【図２】
2017110263.tif 000004
【図３】
2017110263.tif 000005
【図４】
2017110263.tif 000006
【図５】
2017110263.tif 000007
【図６】
2017110263.tif 000008
【図７】
2017110263.tif 000009
【図８】
2017110263.tif 000010
【図９】
2017110263.tif 000011
【図１０】
2017110263.tif 000012
【図１１】
2017110263.tif 000013
【図１２】
2017110263.tif 000014
【図１３】
2017110263.tif 000015
【図１４】
2017110263.tif 000016
【図１５】
2017110263.tif 000017
【図１６】
2017110263.tif 000018
【図１７】
2017110263.tif 000019
【図１８】
2017110263.tif 000020
【図１９】
2017110263.tif 000021
【図２０】
2017110263.tif 000022
【国際調査報告】
2017110263.tif 000023
2017110263.tif 000024
2017110263.tif 000025
2017110263.tif 000026